(57)【要約】【課題】室内を攪拌する空気の流れを発生させることで、被乾燥物の乾燥等に必要なエネルギーを低減させる送風装置を提供する。【解決手段】浴室換気乾燥暖房機１Ａは、空気を吸い込んで吹き出す循環換気ファン２Ａと、浴室内の空気が吸い込まれる循環換気吸込口２０Ａと、吹出風路２８Ａを通る空気を加熱するヒータ５と、ヒータ５を通る空気が浴室内に吹き出される第１の吹出口２１Ａと、第１の吹出口２１Ａに対して循環換気吸込口２０Ａの反対側に設けられ、ヒータ５を通らない空気が、浴室内の所定の向きに吹き出される第２の吹出口２２Ａを備える。【選択図】    図１
2013094199.tif 000002
【特許請求の範囲】
【請求項１】
空気を吸い込んで吹き出す送風手段と、
前記送風手段で室内の空気が吸い込まれる吸込口と、
前記送風手段で吹き出される空気が通る吹出風路と、
前記吹出風路を通る空気を加熱する加熱手段と、
前記加熱手段を通る空気が室内に吹き出される第１の吹出口と、
前記第１の吹出口から吹き出される空気より風速が速く、前記吹出風路で前記加熱手段を通らない空気が、室内の所定の向きに吹き出される第２の吹出口を備えた
ことを特徴とする送風装置。
【請求項２】
空気を吸い込んで吹き出す送風手段と、
前記送風手段で室内の空気が吸い込まれる吸込口と、
前記送風手段で吹き出される空気が通る吹出風路と、
前記吹出風路を通る空気を加熱する加熱手段と、
前記加熱手段を通る空気が室内に吹き出される第１の吹出口と、
前記第１の吹出口に対して前記吸込口の反対側に設けられ、前記吹出風路で前記加熱手段を通らない空気が、室内の所定の向きに吹き出される第２の吹出口を備えた
ことを特徴とする送風装置。
【請求項３】
空気を吸い込んで吹き出す送風手段と、
前記送風手段で室内の空気が吸い込まれる吸込口と、
前記送風手段で吹き出される空気が通る吹出風路と、
前記吹出風路を通る空気を加熱する加熱手段と、
前記加熱手段を通る空気が室内に吹き出される第１の吹出口と、
前記第１の吹出口に対して開口の面積が小さく構成され、前記吹出風路で前記加熱手段を通らない空気が、室内の所定の向きに吹き出される第２の吹出口を備えた
ことを特徴とする送風装置。
【請求項４】
前記第２の吹出口から所定の向きに吹き出される空気は、前記吸込口に対して反対側を向けて室内に吹き出される
ことを特徴とする請求項１〜請求項３の何れか１項に記載の送風装置。
【請求項５】
前記第２の吹出口を開閉する開閉手段を備えた
ことを特徴とする請求項１〜請求項４の何れか１項に記載の送風装置。
【請求項６】
運転モードに応じて前記開閉手段の開閉が切り替えられる
ことを特徴とする請求項５に記載の送風装置。
【請求項７】
前記加熱手段によって加熱した空気を温風として室内に吹き出すか、あるいは、室内に室温に応じた送風を吹き出すと共に、室内の空気を室外へ排気する運転モードで、前記開閉手段を開いて前記第１の吹出口と前記第２の吹出口から室内に空気を吹き出し、
室内に温風を吹き出す運転モードで、前記開閉手段を閉じて前記第１の吹出口から室内に空気を吹き出す
ことを特徴とする請求項６に記載の送風装置。
【請求項８】
前記送風手段は、吸い込んだ空気を室内に吹き出す風路と屋外に排気する風路を切り替える風路開閉手段及び循環換気ファンとを備え、
前記加熱手段によって加熱した空気を温風として室内に吹き出すか、あるいは、室内に室温に応じた送風を吹き出すと共に、室内の空気を室外へ排気する運転モードで、前記風路開閉手段を、吸い込んだ空気を室内に吹き出し、かつ屋外に排気する循環換気位置とし、前記開閉手段で前記第２の吹出口を開き、
室内に温風を吹き出す運転モードで、前記風路切替手段を、吸い込んだ空気を室内に吹き出す循環位置とし、前記開閉手段で前記第２の吹出口を閉じる
ことを特徴とする請求項６に記載の送風装置。
【請求項９】
前記風路開閉手段と前記開閉手段を駆動する駆動手段と、
前記風路開閉手段と前記開閉手段を連動させる伝達手段を備えた
ことを特徴とする請求項８に記載の送風装置。
【請求項１０】
前記送風手段は、吸い込んだ空気を室内に吹き出す循環ファンと、吸い込んだ空気を屋外に排気する排気ファンとを備え、
前記加熱手段によって加熱した空気を温風として室内に吹き出すか、あるいは、室内に室温に応じた送風を吹き出すと共に、室内の空気を室外へ排気する運転モードで、前記換気ファンを駆動すると共に、前記開閉手段で前記第２の吹出口を開いて循環ファンを駆動し、
室内に温風を吹き出す運転モードで、換気ファンを停止すると共に、前記開閉手段で前記第２の吹出口を閉じて循環ファンを駆動する
ことを特徴とする請求項６に記載の送風装置。
【発明の詳細な説明】
【技術分野】
【０００１】
本発明は、浴室等に設置され、温風あるいは室温に応じた空気を吹き出す送風装置に関する。
【背景技術】
【０００２】
従来から、浴室等の天井に設置され、温風あるいは室温に応じた空気を吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、空気の吹出口をフロントパネルの下面に備え、吹出口が浴室内に面するように、浴室の天井に設置される。浴室換気乾燥暖房機では、浴室内にある衣類等の被乾燥物を乾燥させる運転モードを備えており、温風が広い範囲に吹き出されるように、空気の吹出方向が所定の方向に固定されている構成が提案されている（例えば、特許文献１参照）。
【０００４】
また、電動ルーバと称される風向を切り替える構成を備え、操作部での操作あるいは運転モードに応じて風向を切り替えられるようにした構成、手動で風向を切り替えられるようにした構成が提案されている。
【０００５】
一方、吹出口から温風がムラ無く吹き出されるようにした浴室換気乾燥暖房機も提案されている（例えば、特許文献２，３参照）。
【０００６】
特許文献２に記載の浴室換気乾燥暖房機では、機体内に整流板を備え、送風機から送られた空気に整流板で圧損を付け、ヒータを通過する空気量を調整し、風量を調整できるようにした技術が提案されている。
【０００７】
また、特許文献２に記載の浴室換気乾燥暖房機では、決められた大きさの吹出口に対して、装置の仕様によりヒータの大きさ、本数等が異なる場合に対応できるように、ヒータ以外のスペース全体を塞ぐアジャスタを備え、ヒータが設けられていないスペース全体を塞ぐことで、送風機から送られた空気をムラ無くヒータを通過させて吹き出し温度を一定にする技術が提案されている。
【０００８】
特許文献３に記載の浴室換気乾燥暖房機では、ヒータを通す風路とヒータを通さない風路を備え、ヒータを通らない風速の速い風路での風量を、吹出口内で均一になるようにして、ヒータを通らない空気を被乾燥物に当て、被乾燥物を短時間で乾燥できるようにした技術が提案されている。
【先行技術文献】
【特許文献】
【０００９】
【特許文献１】特開２００４−２７８９５６号公報
【特許文献２】特開２００３−０９７８１８号公報
【特許文献３】特開２００５−０９８５５７号公報
【発明の概要】
【発明が解決しようとする課題】
【００１０】
従来の浴室換気乾燥暖房機で、空気の吹出方向が所定の方向に固定されている構成は、温風が広い範囲に吹き出されるようにしているが、全ての被乾燥物に温風を直接当てることはできない。このため、温風が直接当たる被乾燥物は乾燥するが、当たらない被乾燥物は乾燥しづらく、乾燥に時間が掛かる。
【００１１】
電動ルーバで風向を切り替えられるようにした構成では、やはり、風向を切り替えて温風が直接当たる被乾燥物は乾燥するが、当たらない被乾燥物は乾燥しづらく、乾燥に時間が掛かる。手動で風向を切り替えられるようにした構成でも同様である。
【００１２】
また、特許文献２及び特許文献３のように、吹出口からムラ無く空気が吹き出されるようにしても、全ての被乾燥物に温風を直接当てることはできない。このため、温風が直接当たる被乾燥物は乾燥するが、当たらない被乾燥物は乾燥しづらく、乾燥に時間が掛かる。
【００１３】
特許文献３のように、ヒータを通さない空気を被乾燥物に当てる技術でも、ヒータを通して吹き出される温風と、ヒータを通さない風速の速い空気が同じ方向に吹き出されるので、全ての被乾燥物に送風を直接当てることはできず、送風が当たらない被乾燥物の乾燥には時間が掛かる。
【００１４】
本発明は、このような課題を解決するためになされたもので、室内を攪拌する空気の流れを発生させることで、被乾燥物の乾燥等に必要なエネルギーを低減させる送風装置を提供することを目的とする。
【課題を解決するための手段】
【００１５】
上述した課題を解決するため、本発明は、空気を吸い込んで吹き出す送風手段と、送風手段で室内の空気が吸い込まれる吸込口と、送風手段で吹き出される空気が通る吹出風路と、吹出風路を通る空気を加熱する加熱手段と、加熱手段を通る空気が室内に吹き出される第１の吹出口と、第１の吹出口から吹き出される空気より風速が速く、吹出風路で前記加熱手段を通らない空気が、室内の所定の向きに吹き出される第２の吹出口を備えた送風装置である。
【００１６】
本発明では、第２の吹出口から室内の所定の方向に風速の速い空気が吹き出されることで、第２の吹出口から吹き出された空気が室内の広い範囲を通り吸込口から吸い込まれるようにすることができる。
【００１７】
また、本発明は、空気を吸い込んで吹き出す送風手段と、送風手段で室内の空気が吸い込まれる吸込口と、送風手段で吹き出される空気が通る吹出風路と、吹出風路を通る空気を加熱する加熱手段と、加熱手段を通る空気が室内に吹き出される第１の吹出口と、第１の吹出口に対して吸込口の反対側に設けられ、吹出風路で加熱手段を通らない空気が、室内の所定の向きに吹き出される第２の吹出口を備えた送風装置である。
【００１８】
本発明では、第１の吹出口に対して吸込口の反対側に設けられた第２の吹出口から室内の所定の方向に空気が吹き出されることで、第２の吹出口から吹き出された空気が室内の広い範囲を通り吸込口から吸い込まれるようにすることができる。
【００１９】
また、本発明は、空気を吸い込んで吹き出す送風手段と、送風手段で室内の空気が吸い込まれる吸込口と、送風手段で吹き出される空気が通る吹出風路と、吹出風路を通る空気を加熱する加熱手段と、加熱手段を通る空気が室内に吹き出される第１の吹出口と、第１の吹出口に対して開口の面積が小さく構成され、吹出風路で前記加熱手段を通らない空気が、室内の所定の向きに吹き出される第２の吹出口を備えた送風装置である。
【００２０】
本発明では、開口の面積が小さい第２の吹出口から室内の所定の方向に風速の速い空気が吹き出されることで、第２の吹出口から吹き出された空気が室内の広い範囲を通り吸込口から吸い込まれるようにすることができる。
【発明の効果】
【００２１】
本発明では、第２の吹出口から室内の所定の方向に風速の速い空気を吹き出すことで、室内の空気を攪拌する風の流れができるため、第１の吹出口から吹き出される温風あるいは送風、及び第２の吹出口から吹き出される送風が直接当たらない場所にある被乾燥物周辺にも空気の流れができ、被乾燥物の水分が蒸発しやすくなって、被乾燥物の乾燥に必要なエネルギーを低減させることができる。
【図面の簡単な説明】
【００２２】
【図１】第１の実施の形態の浴室換気乾燥暖房機の一例を示す構成図である。
【図２】第１の実施の形態の浴室換気乾燥暖房機の一例を示す構成図である。
【図３】第１の実施の形態の浴室換気乾燥暖房機の一例を示す構成図である。
【図４】第１の実施の形態の浴室換気乾燥暖房機の設置例を示す構成図である。
【図５】第１の実施の形態の浴室換気乾燥暖房機における浴室内の空気の流れを示す動作説明図である。
【図６】第２の実施の形態の浴室換気乾燥暖房機の一例を示す構成図である。
【図７】風路開閉ダンパの駆動機構の一例を示す側面図である。
【図８】風路開閉ダンパの駆動機構の一例を示す分解斜視図である。
【図９】第２の実施の形態の浴室換気乾燥暖房機における浴室内の空気の流れを示す動作説明図である。
【図１０】各運転モードにおける風路の開閉を示す動作説明図である。
【図１１】各運転モードにおける風路の開閉を示す動作説明図である。
【図１２】各運転モードにおける風路の開閉を示す動作説明図である。
【図１３】各運転モードにおける風路の開閉を示す動作説明図である。
【図１４】各実施の形態の浴室換気乾燥暖房機の変形例を示す構成図である。
【図１５】各実施の形態の浴室換気乾燥暖房機の変形例を示す構成図である。
【図１６】第２の実施の形態の浴室換気乾燥暖房機の変形例を示す構成図である。
【図１７】第２の実施の形態の浴室換気乾燥暖房機の他の変形例を示す構成図である。
【図１８】第２の実施の形態の浴室換気乾燥暖房機の別の変形例を示す構成図である。
【図１９】各実施の形態の浴室換気乾燥暖房機の変形例を示す斜視図である。
【図２０】各実施の形態の浴室換気乾燥暖房機の変形例を示す斜視図である。
【発明を実施するための形態】
【００２３】
以下、図面を参照して、本発明の送風装置としての浴室換気乾燥暖房機の実施の形態について説明する。
【００２４】
＜第１の実施の形態の浴室換気乾燥暖房機の構成例＞
図１〜図３は、第１の実施の形態の浴室換気乾燥暖房機の一例を示す構成図で、図１は、浴室換気乾燥暖房機の内部構成を示す側面図、図２は、下面側から見た平面図である。また、図３はフロントパネルを取り付けた状態の平面図である。更に、図４は、第１の実施の形態の浴室換気乾燥暖房機の設置例を示す構成図である。
【００２５】
第１の実施の形態の浴室換気乾燥暖房機１Ａの概要を説明すると、浴室換気乾燥暖房機１Ａは、循環換気ファン２Ａを有した本体部３Ａが、フロントパネル４Ａを露出させた形態で、浴室１００の天井に取り付けられる。
【００２６】
浴室換気乾燥暖房機１Ａは、空気を吸い込んで吹き出す循環換気ファン２Ａで、浴室１００内の空気が吸い込まれる循環換気吸込口２０Ａと、ヒータ５を有して温風が吹き出される第１の吹出口２１Ａと、浴室１００内の空気を攪拌する風を発生させる第２の吹出口２２Ａを備える。
【００２７】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、第１の吹出口２１Ａ及び第２の吹出口２２Ａと、換気吹出口２３Ａとの間で風路を切り替える風路切替ダンパ６Ａを備える。
【００２８】
浴室換気乾燥暖房機１Ａは、フロントパネル４Ａを通して第２の吹出口２２Ａから吹き出される空気の流れによって、浴室１００内の空気を攪拌する風を発生させることで、浴室１００内でフロントパネル４Ａを通して第１の吹出口２１Ａから吹き出される温風が直接当たらないような場所でも、空気の流れを発生させる。
【００２９】
これにより、浴室換気乾燥暖房機１Ａでは、浴室１００に温風を吹き出すと共に、浴室１００内を換気して衣類等の乾燥を行う運転モードで、衣類の水分を蒸発し易くして、衣類等の乾燥に要するエネルギーを低減させる。
【００３０】
以下に、浴室換気乾燥暖房機１Ａの詳細について説明すると、循環換気ファン２Ａは、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、内側から外周側へと遠心方向に吹き出される空気の流れを発生させる。
【００３１】
循環換気ファンケース２７Ａは、羽根車２５Ａの外周に沿った円形の部位と、羽根車２５Ａの接線方向に沿った部位を組み合わせた形状で、羽根車２５Ａの遠心方向に吹き出される空気を整流して、羽根車２５Ａの接線方向に沿って吹き出される空気の流れを発生させる。
【００３２】
循環換気ファン２Ａは、浴室換気乾燥暖房機１Ａが所定の設置場所である浴室の天井に設置された状態で、羽根車２５Ａの回転軸の向きが上下方向に沿った配置で構成される。
【００３３】
これにより、循環換気ファン２Ａは、羽根車２５Ａの回転軸に沿った下方から吸い込んだ空気を、羽根車２５Ａの接線方向に吹き出す吹出風路２８Ａが、循環換気ファンケース２７Ａにより形成される。
【００３４】
循環換気ファン２Ａは、循環換気ファンケース２７Ａの下面に、空気が吸い込まれる循環換気吸込口２０Ａを備える。また、循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される第１の吹出口２１Ａを備える。
【００３５】
更に、循環換気ファン２Ａは、循環換気ファンケース２７Ａの下面に、浴室１００内を攪拌する空気が吹き出される第２の吹出口２２Ａを備える。また、循環換気ファン２Ａは、循環換気ファンケース２７Ａの側面に、室外へ空気が吹き出される換気吹出口２３Ａを備える。
【００３６】
循環換気吸込口２０Ａは、羽根車２５Ａの回転軸に沿った下方に、ベルマウスと称される円形の開口を設けて構成される。第１の吹出口２１Ａは、循環換気ファンケース２７Ａによる空気の吹出方向に沿った辺を短辺とした長方形の開口を、吹出風路２８Ａの下面に設けて構成される。
【００３７】
第２の吹出口２２Ａは、循環換気ファンケース２７Ａによる空気の吹出方向に沿った辺を短辺とした長方形の開口を、吹出風路２８Ａの下面において、第１の吹出口２１Ａに対して循環換気吸込口２０Ａの反対側に設けて構成される。
【００３８】
循環換気ファンケース２７Ａで構成される吹出風路２８Ａは、第１の吹出口２１Ａ及び第２の吹出口２２Ａが設けられる部位で広げられ、換気吹出口２３Ａが設けられる部位で狭められる。第１の吹出口２１Ａと第２の吹出口２２Ａは、循環換気ファンケース２７Ａによる空気の吹出方向に沿った辺に対して交差する長辺が、本体部３Ａの幅方向の長さに合わせられる。
【００３９】
第１の吹出口２１Ａと第２の吹出口２２Ａは、循環換気ファンケース２７Ａの下面に設けられた風路形成枠体５０Ａで構成される。第１の吹出口２１Ａと第２の吹出口２２Ａは、風路形成枠体５０Ａの内側に設けられる仕切り部材５１Ａにより仕切られ、第１の吹出口２１Ａから吹き出される空気が通る加熱空気吹出風路と、第２の吹出口２２Ａから吹き出される空気が通る攪拌空気吹出風路が形成される。
【００４０】
第１の吹出口２１Ａと第２の吹出口２２Ａは、第１の吹出口２１Ａから吹き出される空気の風量が多く、第２の吹出口２２Ａから吹き出される空気の風速が速くなるように、第１の吹出口２１Ａに対して第２の吹出口２２Ａの開口が小さく構成される。
【００４１】
本例では、第１の吹出口２１Ａと第２の吹出口２２Ａは、循環換気ファンケース２７Ａによる空気の吹出方向に沿った短辺が、第１の吹出口２１Ａに対して第２の吹出口２２Ａが短く構成される。また、第１の吹出口２１Ａの長辺に対して第２の吹出口２２Ａの長辺が短く構成される。ここで、第１の吹出口２１Ａと第２の吹出口２２Ａの長辺は同じ長さであっても良い。
【００４２】
風路切替ダンパ６Ａは風路開閉手段の一例で、循環換気ファンケース２７Ａの下面に設けられる第１の吹出口２１Ａ及び第２の吹出口２２Ａと、循環換気ファンケース２７Ａの側面に設けられる換気吹出口２３Ａとの間に、回転による開閉動作の軸６０Ａが設けられる。
【００４３】
風路切替ダンパ６Ａは、図示しないダンパモータの駆動力が伝達され、軸６０Ａを支点に回転して、第１の吹出口２１Ａ及び第２の吹出口２２Ａと、換気吹出口２３Ａとの開閉動作を行う。
【００４４】
浴室換気乾燥暖房機１Ａでは、風路切替ダンパ６Ａの位置を、図１に実線で示すように換気吹出口２３Ａを閉じる循環位置とすると、第１の吹出口２１Ａ及び第２の吹出口２２Ａが開いて、循環換気吸込口２０Ａから第１の吹出口２１Ａ及び第２の吹出口２２Ａへ連通した循環風路が形成される。
【００４５】
また、浴室換気乾燥暖房機１Ａでは、風路切替ダンパ６Ａの位置を、図１に一点鎖線で示すように第１の吹出口２１Ａ及び第２の吹出口２２Ａを閉じる換気位置とすると、換気吹出口２３Ａが開いて、循環換気吸込口２０Ａから換気吹出口２３Ａへ連通した換気風路が形成される。
【００４６】
更に、浴室換気乾燥暖房機１Ａでは、風路切替ダンパ６Ａの位置を、図１に破線で示す循環位置と換気位置の間の循環換気位置とすると、第１の吹出口２１Ａ及び第２の吹出口２２Ａと、換気吹出口２３Ａの双方が開いて、循環風路と換気風路の双方が形成される。
【００４７】
これにより、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００４８】
循環換気位置にある風路切替ダンパ６Ａは、吹出風路２８Ａを通る空気を第１の吹出口２１Ａ及び第２の吹出口２２Ａに誘導するため、第１の吹出口２１Ａ及び第２の吹出口２２Ａに面した部位が凹状に湾曲した形状を有する。
【００４９】
一方で、第１の吹出口２１Ａにはヒータ５が設けられており、通気抵抗が高い。また、第２の吹出口２２Ａは、吹出風路２８Ａにおいて、より風速の速い位置に設けられており、空気が流れやすい。
【００５０】
そこで、風路切替ダンパ６Ａの形状によって、第２の吹出口２２Ａに流れる風量を減らす。また、吹出風路２８Ａにおける空気の吹出方向に対して、第２の吹出口２２Ａを第１の吹出口２１Ａの下流側に配置して、第２の吹出口２２Ａをより風速の速い位置に設ける。更に、第２の吹出口２２Ａの開口を第１の吹出口２１Ａより小さくして、第２の吹出口２２Ａから吹き出される空気の風速を速くする。
【００５１】
これにより、浴室換気乾燥暖房機１Ａは、第１の吹出口２１Ａ及び第２の吹出口２２Ａの配置及び大きさの関係と、風路切替ダンパ６Ａの形状から、第１の吹出口２１Ａから吹き出される空気の風量が多く、第２の吹出口２２Ａから吹き出される空気の風速が速くなるように構成される。
【００５２】
ヒータ５は加熱手段の一例で、本例ではＰＴＣヒータで構成され、第１の吹出口２１Ａから吹き出された空気が通る加熱空気吹出風路に設けられる。第１の吹出口２１Ａと第２の吹出口２２Ａは、仕切り部材５１Ａにより仕切られており、第２の吹出口２２Ａから吹き出される空気は、ヒータ５を通過しない。なお、第１の吹出口２１Ａと第２の吹出口２２Ａとの間に仕切り部材が設けられていない構成でも、ヒータ５が設けられる部位と設けられていない部位で風路を分けることができる。
【００５３】
ヒータ５が駆動されて通電されると、ヒータ５が加熱されることで第１の吹出口２１Ａを通る空気が加熱され、第１の吹出口２１Ａから温風が吹き出される。ここで、ヒータ５は、棒状のヒータ部材に長手方向に沿って多数のフィンが取り付けられた構成で、フィンが並ぶ方向を、第１の吹出口２１Ａの長手方向に沿った向きとして第１の吹出口２１Ａに取り付けられる。
【００５４】
また、第１の吹出口２１Ａの短手方向の幅は、２本のヒータ５が並べて取り付けられる長さを有し、本例では、２本のヒータ５が第１の吹出口２１Ａの短手方向に並べて取り付けられる。なお、ヒータ５の本数は例えば電源電圧等に応じて設定され、１本のヒータ５が取り付けられる構成でも良い。また、本例では、加熱手段として電気により駆動されるヒータ５を例に説明したが、温水による熱交換器等のヒータでも良い。
【００５５】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００５６】
本体シャーシ３０Ａは、金属ケース３１Ａから露出した下面に下カバー３３Ａが取り付けられる。循環換気ファン２Ａは、循環換気吸込口２０Ａと、第１の吹出口２１Ａ及び第２の吹出口２２Ａが下カバー３３Ａに設けられ、下カバー３３Ａに風路形成枠体５０Ａが取り付けられる。
【００５７】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００５８】
浴室換気乾燥暖房機１Ａは、本体部３Ａの下面にフロントパネル４Ａが取り付けられる。フロントパネル４Ａは、循環換気ファン２Ａの循環換気吸込口２０Ａに対向した下面を開口して吸込口グリル４０Ａが形成される。
【００５９】
また、フロントパネル４Ａは、循環換気ファン２Ａの第１の吹出口２１Ａに対向した下面を開口して第１の吹出口グリル４１Ａが形成されると共に、第２の吹出口２２Ａに対向した下面を開口して第２の吹出口グリル４２Ａが形成される。
【００６０】
第１の吹出口グリル４１Ａは、本体部３Ａの一の辺に沿った方向の長さを長くした長方形の開口で構成される。また、第２の吹出口グリル４２Ａは、第１の吹出口グリル４１Ａと同様に、本体部３Ａの一の辺に沿った方向の長さを長くした長方形の開口で構成される。
【００６１】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように、整流板４３Ａが設けられる。
【００６２】
＜第１の実施の形態の浴室換気乾燥暖房機の設置例＞
次に、各図を参照して、第１の実施の形態の浴室換気乾燥暖房機１Ａの設置例について説明する。
【００６３】
浴室換気乾燥暖房機１Ａは、図４に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで補強部材に固定される形態で、天井パネル１０１に取り付けられる。
【００６４】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａが、浴室１００内に面して配置される。
【００６５】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６６】
浴室１００は、浴槽１０３と洗い場１０４を備える。浴槽１０３は一般的に長方形であり、浴槽１０３と洗い場１０４は、浴槽１０３の短手方向に沿って並んでいる。
【００６７】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６８】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００６９】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００７０】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００７１】
＜第１の実施の形態の浴室換気乾燥暖房機の動作例＞
図５は、第１の実施の形態の浴室換気乾燥暖房機における浴室内の空気の流れを示す動作説明図で、次に、各図を参照して、第１の実施の形態の浴室換気乾燥暖房機１Ａの動作例について説明する。
【００７２】
浴室換気乾燥暖房機１Ａは、乾燥運転モードでは、風路切替ダンパ６Ａを図１に破線で示す循環換気位置にし、循環換気ファンモータ２６Ａを駆動して羽根車２５Ａを回転させると共に、ヒータ５に通電する。
【００７３】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【００７４】
乾燥運転モードでは、風路切替ダンパ６Ａが循環換気位置にあるので、吹出風路２８Ａでは、循環換気吸込口２０Ａから第１の吹出口２１Ａ及び第２の吹出口２２Ａへ連通した循環風路と、循環換気吸込口２０Ａから換気吹出口２３Ａへ連通した換気風路の双方が形成されている。
【００７５】
これにより、羽根車２５Ａが回転することで循環換気吸込口２０Ａから吸い込まれた浴室１００の空気ＲＡの一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００７６】
乾燥運転モードでは、第１の吹出口２１Ａに流れる空気は、ヒータ５によって加熱されることで、フロントパネル４Ａの第１の吹出口グリル４１Ａから温風ＨＡが吹き出される。第２の吹出口２２Ａに流れる空気は、ヒータ５を通らないので、フロントパネル４Ａの第２の吹出口グリル４２Ａから、室温に応じた空気Ａが吹き出される。
【００７７】
浴室換気乾燥暖房機１Ａでは、第１の吹出口グリル４１Ａから吹き出される空気は、ランドリパイプ１０５の長手方向及びランドリパイプ１０５と直交する方向に広がる。
【００７８】
但し、浴室換気乾燥暖房機１Ａは、第１の吹出口グリル４１Ａの長手方向がランドリパイプ１０５と直交する向きに配置されるので、第１の吹出口グリル４１Ａから吹き出される空気は、主にランドリパイプ１０５に直交する方向に広がる。
【００７９】
このため、第１の吹出口グリル４１Ａの直下近傍のランドリパイプ１０５に掛けられた衣類等の被乾燥物に対しては、幅方向の全体に温風が当てられる。これに対して、第１の吹出口グリル４１Ａの直下から離れた位置のランドリパイプ１０５に掛けられた被乾燥物に対しては、第１の吹出口グリル４１Ａから吹き出される温風が直接は当たりにくい。
【００８０】
浴室換気乾燥暖房機１Ａでは、第２の吹出口グリル４２Ａから吹き出される空気Ａは、第１の吹出口グリル４１Ａに対して第２の吹出口グリル４２Ａが設けられる側の浴室１００の壁面１０６ａに向けられる。
【００８１】
第２の吹出口グリル４２Ａから吹き出される空気は、上述したように、第１の吹出口２１Ａ及び第２の吹出口２２Ａの配置及び大きさの関係から、第１の吹出口グリル４１Ａから吹き出される空気より風速が速い。また、第２の吹出口グリル４２Ａから吹き出される空気は、ヒータ５を通らないので、第１の吹出口グリル４１Ａから吹き出される空気より温度が低い。
【００８２】
これにより、図５（ａ）に示すように、乾燥モードで第２の吹出口グリル４２Ａから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【００８３】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ａから吸い込まれる。
【００８４】
このように、浴室換気乾燥暖房機１Ａでは、第２の吹出口グリル４２Ａから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００８５】
乾燥運転モードで浴室換気乾燥暖房機１Ａの第１の吹出口グリル４１Ａから吹き出される空気は、ヒータ５で加熱された温風で、相対湿度が下げられているので、第２の吹出口グリル４２Ａから吹き出される空気に比べ軽い。
【００８６】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れを生じさせることができる。
【００８７】
これにより、第１の吹出口グリル４１Ａから吹き出される温風が、直接は当たりにくい第１の吹出口グリル４１Ａの直下から離れた位置のランドリパイプ１０５に掛けられた被乾燥物付近にも、空気の流れを生じさせることができる。
【００８８】
第１の吹出口２１Ａ及び第２の吹出口２２Ａの配置及び大きさの関係と、風路切替ダンパ６Ａの形状から、第１の吹出口グリル４１Ａから吹き出される温風の風量は、第２の吹出口グリル４２Ａから吹き出される空気より多い。よって、第２の吹出口グリル４２Ａから吹き出される空気で攪拌される浴室１００内の空気の流れで、第１の吹出口グリル４１Ａから吹き出される十分な量の温風ＨＡを、浴室１００内で循環させることができる。
【００８９】
従って、被乾燥物の水分が蒸発しやすくなり、従来とヒータ５の出力を同じとすれば、乾燥時間を短縮することができ、被乾燥物の乾燥に要するエネルギーを低減させることができる。また、従来と乾燥時間を同じとすれば、ヒータ５の出力を低下させることができ、やはり被乾燥物の乾燥に要するエネルギーを低減させることができる。また、浴室１００内の空気の一部は屋外に排気されて換気が行われるので、湿気等を排出して、被乾燥物の乾燥を促進することができる。
【００９０】
本例では、ランドリパイプ１０５が１本の例で説明したが、ランドリパイプ１０５が２本設けられるような浴室でも、各ランドリパイプの任意の位置に掛けられた被乾燥物の周辺に、空気の流れを生じさせることができるので、被乾燥物の乾燥に要するエネルギーを低減させることができる。なお、乾燥運転モードでは、循環換気ファン２Ａの駆動開始と共にヒータ５を駆動して、運転当初より温風を吹き出す例で説明したが、運転当初ではヒータ５を非駆動として室温に応じた送風を吹き出し、所定の時間経過後、ヒータ５を駆動して温風を吹き出すようにしても良い。ヒータ５の駆動を遅延する運転でも、被乾燥物の水分が蒸発しやすくなり、被乾燥物の乾燥に要するエネルギーを低減させることができる。
【００９１】
浴室換気乾燥暖房機１Ａは、循環換気運転モードでは、風路切替ダンパ６Ａを図１に破線で示す循環換気位置にし、ヒータ５を非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、風路切替ダンパ６Ａの開度を変更しても良い。
【００９２】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９３】
循環換気運転モードでは、風路切替ダンパ６Ａが循環換気位置にあるので、循環換気吸込口２０Ａから吸い込まれた浴室１００の空気の一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、屋外へ排気される。
【００９４】
循環換気運転モードでは、第１の吹出口２１Ａに流れる空気は、ヒータ５が非駆動であるので、フロントパネル４Ａの第１の吹出口グリル４１Ａから、室温に応じた空気ＣＡが吹き出される。第２の吹出口２２Ａに流れる空気は、ヒータ５を通らないので、フロントパネル４Ａの第２の吹出口グリル４２Ａから、室温に応じた空気Ａが吹き出される。
【００９５】
浴室換気乾燥暖房機１Ａでは、図５（ｂ）に示すように、循環換気運転モードでも、第２の吹出口グリル４２Ａから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００９６】
これにより、循環換気運転モードでも、浴室１００内の全体に、空気を攪拌する風の流れを生じさせることができ、浴室１００内で、第１の吹出口グリル４１Ａから吹き出される空気が直接は当たりにくいような場所でも、空気の流れを生じさせることができる。
【００９７】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【００９８】
浴室換気乾燥暖房機１Ａで実行される他の運転モードとしては、暖房運転モードでは、風路切替ダンパ６Ａを図１に実線で示す循環位置にして、ヒータ５に通電すると共に、循環換気ファンモータ２６Ａを駆動して羽根車２５Ａを回転させる。
【００９９】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１００】
暖房運転モードでは、風路切替ダンパ６Ａが循環位置にあるので、循環換気吸込口２０Ａから吸い込まれた浴室１００の空気の略全量が、第１の吹出口２１Ａ及び第２の吹出口２２Ａへと流れる。
【０１０１】
暖房運転モードでは、第１の吹出口２１Ａに流れる空気は、ヒータ５によって加熱されることで、フロントパネル４Ａの第１の吹出口グリル４１Ａから温風が吹き出される。第２の吹出口２２Ａに流れる空気は、ヒータ５を通らないので、フロントパネル４Ａの第２の吹出口グリル４２Ａから、室温に応じた空気が吹き出される。
【０１０２】
浴室換気乾燥暖房機１Ａでは、暖房運転モードでも、第２の吹出口グリル４２Ａから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１０３】
これにより、暖房運転モードでも、浴室１００内の全体に、空気を攪拌する風の流れを生じさせることができる。暖房運転モードでは、風路切替ダンパ６Ａが循環位置にあるので、浴室１００内の空気は換気されない。よって、浴室換気乾燥暖房機１Ａで吸込口グリル４０Ａから吸い込まれる空気の温度が、第１の吹出口グリル４１Ａから吹き出される温風で浴室１００内が暖房されることで上昇し、第２の吹出口グリル４２Ａから吹き出される空気の温度も上昇する。
【０１０４】
従って、暖房運転モードでは、第２の吹出口グリル４２Ａから吹き出される室温に応じた空気で攪拌される浴室１００内の空気の流れで、第１の吹出口グリル４１Ａから吹き出される十分な量の温風を、浴室１００内で循環させて、浴室１００内の温度を入浴に適した温度に上昇させることができる。
【０１０５】
換気運転モードでは、風路切替ダンパ６Ａを図１に一点鎖線で示す換気位置にし、ヒータ５非駆動として、循環換気ファンモータ２６Ａを駆動して羽根車２５Ａを回転させる。
【０１０６】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１０７】
換気運転モードでは、風路切替ダンパ６Ａが換気位置にあるので、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【０１０８】
＜第２の実施の形態の浴室換気乾燥暖房機の構成例＞
図６は、第２の実施の形態の浴室換気乾燥暖房機の一例を示す構成図で、図６は、浴室換気乾燥暖房機の内部構成を示す側面図である。
【０１０９】
第２の実施の形態の浴室換気乾燥暖房機１Ｂの概要を説明すると、浴室換気乾燥暖房機１Ｂは、第１の実施の形態の浴室換気乾燥暖房機１Ａと同様に、浴室１００内の空気を攪拌する風を発生させる構成で、この浴室１００内の空気を攪拌する風を発生させる空気の吹き出しの有無を、運転モードに応じて切り替えられるようにしたものである。
【０１１０】
すなわち、浴室換気乾燥暖房機１Ｂは、循環換気ファン２Ｂを有した本体部３Ｂが、図４に示す設置形態と同様に、フロントパネル４Ｂを露出させた形態で、浴室１００の天井に取り付けられる。
【０１１１】
浴室換気乾燥暖房機１Ｂは、空気を吸い込んで吹き出す循環換気ファン２Ｂで、浴室１００内の空気が吸い込まれる循環換気吸込口２０Ｂと、ヒータ５を有して温風が吹き出される第１の吹出口２１Ｂと、浴室１００内の空気を攪拌する風を発生させる第２の吹出口２２Ｂを備える。
【０１１２】
また、浴室換気乾燥暖房機１Ｂは、循環換気ファン２Ｂで循環換気吸込口２０Ｂから吸い込んだ空気を室外に排気する換気吹出口２３Ｂを備える。更に、浴室換気乾燥暖房機１Ｂは、第１の吹出口２１Ｂ及び第２の吹出口２２Ｂと、換気吹出口２３Ｂとの間で風路を切り替える風路切替ダンパ６Ｂを備える。また、浴室換気乾燥暖房機１Ｂは、第２の吹出口２２Ｂを開閉する攪拌風路開閉ダンパ７Ｂを備える。
【０１１３】
浴室換気乾燥暖房機１Ｂは、フロントパネル４Ｂを通して第２の吹出口２２Ｂから吹き出される空気の流れによって、浴室１００内の空気を攪拌する風を発生させることで、浴室１００内でフロントパネル４Ｂを通して第１の吹出口２１Ｂから吹き出される温風が直接当たらないような場所でも、空気の流れを発生させる。
【０１１４】
これにより、浴室換気乾燥暖房機１Ｂでは、浴室１００に温風を吹き出すと共に、浴室１００内を換気して衣類等の乾燥を行う乾燥運転モードで、衣類の水分を蒸発し易くして、衣類等の乾燥に要するエネルギーを低減させる。
【０１１５】
また、浴室換気乾燥暖房機１Ｂでは、浴室１００に温風を吹き出す暖房運転モードでは、攪拌風路開閉ダンパ７Ｂで第２の吹出口２２Ｂを閉じることで、浴室１００にいる入浴者が、寒さを感じることを防ぐ。
【０１１６】
以下に、浴室換気乾燥暖房機１Ｂの詳細について説明する。ここで、浴室換気乾燥暖房機１Ｂでは、攪拌風路開閉ダンパ７Ｂを備えた構成と、風路切替ダンパ６Ｂと攪拌風路開閉ダンパ７Ｂを連動させる構成以外は、第１の実施の形態の浴室換気乾燥暖房機１Ａと同様の構成でも良い。
【０１１７】
循環換気ファン２Ｂは、多翼の羽根車２５Ｂと、羽根車２５Ｂを駆動する循環換気ファンモータ２６Ｂと、風路を形成する循環換気ファンケース２７Ｂを備える。循環換気ファン２Ｂは、羽根車２５Ｂが循環換気ファンモータ２６Ｂに駆動されて回転することで遠心方向に吹き出される空気を、循環換気ファンケース２７Ｂで整流して、羽根車２５Ｂの接線方向に沿って吹き出される空気の流れを発生させる。
【０１１８】
循環換気吸込口２０Ｂは、羽根車２５Ｂの回転軸に沿った下方に、ベルマウスと称される円形の開口を設けて構成される。第１の吹出口２１Ｂは、図２に示す第１の吹出口２１Ａと同様に、循環換気ファンケース２７Ｂによる空気の吹出方向に沿った辺を短辺とした長方形の開口を、吹出風路２８Ｂの下面に設けて構成される。
【０１１９】
第２の吹出口２２Ｂは、図２に示す第２の吹出口２２Ａと同様に、循環換気ファンケース２７Ｂによる空気の吹出方向に沿った辺を短辺とした長方形の開口を、吹出風路２８Ｂの下面において、第１の吹出口２１Ｂに対して循環換気吸込口２０Ｂの反対側に設けて構成される。
【０１２０】
循環換気ファンケース２７Ｂで構成される吹出風路２８Ｂは、第１の吹出口２１Ｂ及び第２の吹出口２２Ｂが設けられる部位で広げられ、換気吹出口２３Ｂが設けられる部位で狭められる。
【０１２１】
第１の吹出口２１Ｂと第２の吹出口２２Ｂは、循環換気ファンケース２７Ｂの下面に設けられた風路形成枠体５０Ｂで構成される。第１の吹出口２１Ｂと第２の吹出口２２Ｂは、風路形成枠体５０Ｂの内側に設けられる仕切り部材５１Ｂにより仕切られ、第１の吹出口２１Ｂから吹き出される空気が通る加熱空気吹出風路と、第２の吹出口２２Ｂから吹き出される空気が通る攪拌空気吹出風路が形成される。
【０１２２】
第１の吹出口２１Ｂと第２の吹出口２２Ｂは、第１の吹出口２１Ｂから吹き出される空気の風量が多く、第２の吹出口２２Ｂから吹き出される空気の風速が速くなるように、第１の吹出口２１Ｂに対して第２の吹出口２２Ｂの開口が小さく構成される。
【０１２３】
本例では、第１の吹出口２１Ｂと第２の吹出口２２Ｂは、循環換気ファンケース２７Ｂによる空気の吹出方向に沿った短辺が、第１の吹出口２１Ｂに対して第２の吹出口２２Ｂが短く構成される。また、第１の吹出口２１Ｂの長辺に対して第２の吹出口２２Ｂの長辺が短く構成される。ここで、第１の吹出口２１Ｂと第２の吹出口２２Ｂの長辺は同じ長さであっても良い。
【０１２４】
風路切替ダンパ６Ｂは風路開閉手段の一例で、循環換気ファンケース２７Ｂの下面に設けられる第１の吹出口２１Ｂ及び第２の吹出口２２Ｂと、循環換気ファンケース２７Ｂの側面に設けられる換気吹出口２３Ｂとの間に、回転による開閉動作の軸６０Ｂが設けられる。
【０１２５】
攪拌風路開閉ダンパ７Ｂは開閉手段の一例で、回転動作で第２の吹出口２２Ｂを開閉する。本例では、攪拌風路開閉ダンパ７Ｂの回転動作の軸が、風路切替ダンパ６Ｂの軸６０Ｂと同軸上に配置される。
【０１２６】
図７は、風路開閉ダンパの駆動機構の一例を示す側面図、図８は、風路開閉ダンパの駆動機構の一例を示す分解斜視図で、次に、各図を参照して、単一の駆動源で、風路切替ダンパ６Ｂと攪拌風路開閉ダンパ７Ｂを連動させる構成について説明する。
【０１２７】
風路切替ダンパ６Ｂと攪拌風路開閉ダンパ７Ｂは、ダンパモータ６１Ｂにより駆動される。ダンパモータ６１Ｂは、回転動作による変位で、本例ではモータ軸を支点とした回転で、風路切替ダンパ６Ｂと攪拌風路開閉ダンパ７Ｂを開閉する突起部６２Ｂと、攪拌風路開閉ダンパ７Ｂの回転を規制する規制カム部６３Ｂを備える。また、ダンパモータ６１Ｂは、図示しないセンサで回転角度を検知するための磁石６４Ｂを備える。
【０１２８】
風路切替ダンパ６Ｂは、回転動作の軸６０Ｂと、突起部６２Ｂが挿入されてダンパモータ６１Ｂからの駆動力が伝達される開閉ガイド溝部６５Ｂを備える。軸６０Ｂは、風路切替ダンパ６Ｂの幅方向の両側部から外側に向かって突出する。開閉ガイド溝部６５Ｂは、風路切替ダンパ６Ｂの一方の側部に、突起部６２Ｂが挿入される直線状の開口を設けて構成される。
【０１２９】
攪拌風路開閉ダンパ７Ｂは、風路切替ダンパ６Ｂの軸６０Ｂに支持される軸受部７０Ｂと、突起部６２Ｂが挿入されてダンパモータ６１Ｂからの駆動力が伝達される開閉ガイドカム溝部７１Ｂと、規制カム部６３Ｂと接して回転が記載される規制突起部７２Ｂを備える。
【０１３０】
軸受部７０Ｂは、攪拌風路開閉ダンパ７Ｂの幅方向の両側部に設けられ、風路切替ダンパ６Ｂの軸６０Ｂに回転可能に支持される。開閉ガイドカム溝部７１Ｂは、攪拌風路開閉ダンパ７Ｂの一方の側部に、突起部６２Ｂが挿入される所定形状の開口を設けて構成される。規制突起部７２Ｂは、開閉ガイドカム溝部７１Ｂから外側に向かって突出する。
【０１３１】
開閉ガイドカム溝部７１Ｂは、図８（ｂ）に示すように連続したカム面で構成され、ダンパモータ６１Ｂの回転による突起部６２Ｂの変位で押圧されて、第２の吹出口２２Ｂを開いた状態の攪拌風路開閉ダンパ７Ｂを閉じる開閉部７３Ｂを備える。また、開閉ガイドカム溝部７１Ｂは、攪拌風路開閉ダンパ７Ｂが第２の吹出口２２Ｂを閉じた状態で、ダンパモータ６１Ｂの回転による突起部６２Ｂの軌跡に沿った形状を有して、攪拌風路開閉ダンパ７Ｂを全閉状態で保持する全閉部７４Ｂを備える。
【０１３２】
更に、開閉ガイドカム溝部７１Ｂは、第２の吹出口２２Ｂを閉じた状態の攪拌風路開閉ダンパ７Ｂを開く開閉部７５Ｂを備える。また、開閉ガイドカム溝部７１Ｂは、攪拌風路開閉ダンパ７Ｂが第２の吹出口２２Ｂを開いた状態で、ダンパモータ６１Ｂの回転による突起部６２Ｂの軌跡に沿った形状を有して、攪拌風路開閉ダンパ７Ｂを全開状態で保持する全開部７６Ｂを備える。
【０１３３】
規制突起部７２Ｂは、規制カム部６３Ｂの外周面に接する。上述したように、開閉ガイドカム溝部７１Ｂに設けた全閉部７４Ｂと全開部７６Ｂは、ダンパモータ６１Ｂの回転による突起部６２Ｂの軌跡に沿った形状を有しているため、突起部６２Ｂが全閉部７４Ｂと全開部７６Ｂと接する範囲では、攪拌風路開閉ダンパ７Ｂが軸６０Ｂを支点に回転可能である。
【０１３４】
そこで、規制カム部６３Ｂは、攪拌風路開閉ダンパ７Ｂが全開状態あるいは全閉状態にある場合に、規制突起部７２Ｂと接する形状とすることで、全開状態あるいは全閉状態にある攪拌風路開閉ダンパ７Ｂが、空気圧等で開閉しないように構成される。
【０１３５】
浴室換気乾燥暖房機１Ｂでは、ダンパモータ６１Ｂを駆動すると、ダンパモータ６１Ｂの回転で突起部６２Ｂが変位する。風路切替ダンパ６Ｂは、開閉ガイド溝部６５Ｂに突起部６２Ｂが挿入されており、突起部６２Ｂが開閉ガイド溝部６５Ｂに沿って変位することで開閉ガイド溝部６５Ｂが押圧される。これにより、風路切替ダンパ６Ｂは、軸６０Ｂを支点に回転して、第１の吹出口２１Ｂ及び第２の吹出口２２Ｂと、換気吹出口２３Ｂとの開閉動作を行う。
【０１３６】
攪拌風路開閉ダンパ７Ｂは、開閉ガイドカム溝部７１Ｂに突起部６２Ｂが挿入されており、突起部６２Ｂが開閉ガイドカム溝部７１Ｂに沿って変位することで開閉ガイドカム溝部７１Ｂが押圧される。これにより、攪拌風路開閉ダンパ７Ｂは、軸６０Ｂを支点に回転して、第２の吹出口２２Ｂの開閉動作を行う。
【０１３７】
浴室換気乾燥暖房機１Ｂでは、ダンパモータ６１Ｂを所定の位置に回転させ、風路切替ダンパ６Ｂの位置を、図６に実線で示すように換気吹出口２３Ｂを閉じる循環位置とすると、攪拌風路開閉ダンパ７Ｂが第２の吹出口２２Ｂを閉じる。これにより、第１の吹出口２１Ｂが開いて、循環換気吸込口２０Ｂから第１の吹出口２１Ｂへ連通した循環風路が形成される。
【０１３８】
浴室換気乾燥暖房機１Ｂでは、ダンパモータ６１Ｂを所定の位置に回転させ、風路切替ダンパ６Ｂの位置を、図６に一点鎖線で示すように第１の吹出口２１Ｂ及び第２の吹出口２２Ｂを閉じる換気位置とすると、換気吹出口２３Ｂが開いて、循環換気吸込口２０Ｂから換気吹出口２３Ｂへ連通した換気風路が形成される。
【０１３９】
また、浴室換気乾燥暖房機１Ｂでは、風路切替ダンパ６Ｂの位置を換気位置とすると、攪拌風路開閉ダンパ７Ｂが第２の吹出口２２Ｂを開く。但し、風路切替ダンパ６Ｂで第１の吹出口２１Ｂ及び第２の吹出口２２Ｂが閉じられているので、第２の吹出口２２Ｂから空気が吹き出されない。
【０１４０】
浴室換気乾燥暖房機１Ｂでは、ダンパモータ６１Ｂを所定の位置に回転させ、風路切替ダンパ６Ｂの位置を、図６に破線で示す循環位置と換気位置の間の循環換気位置とすると、第１の吹出口２１Ｂ及び第２の吹出口２２Ｂと、換気吹出口２３Ｂの双方が開いて、循環風路と換気風路の双方が形成される。
【０１４１】
また、浴室換気乾燥暖房機１Ｂでは、風路切替ダンパ６Ｂの位置を循環換気位置とすると、攪拌風路開閉ダンパ７Ｂが第２の吹出口２２Ｂを開く。ここで、攪拌風路開閉ダンパ７Ｂで第２の吹出口２２Ｂを開いた状態では、風路切替ダンパ６Ｂの開度が切り替えられ、換気吹出口２３Ｂから吹き出される風量が変更可能に構成される。
【０１４２】
これにより、浴室換気乾燥暖房機１Ｂでは、１つの循環換気ファン２Ｂで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。また、浴室換気乾燥暖房機１Ｂでは、１つのダンパモータ６１Ｂで、風路切替ダンパ６Ｂと攪拌風路開閉ダンパ７Ｂの開閉が連動して行われる。
【０１４３】
第１の実施の形態の浴室換気乾燥暖房機１Ａと同様に、第２の実施の形態の浴室換気乾燥暖房機１Ｂでは、循環換気位置にある風路切替ダンパ６Ｂは、吹出風路２８Ｂを通る空気を第１の吹出口２１Ｂ及び第２の吹出口２２Ｂに誘導するため、第１の吹出口２１Ｂ及び第２の吹出口２２Ｂに面した部位が凹状に湾曲した形状を有する。
【０１４４】
一方で、第１の吹出口２１Ｂにはヒータ５が設けられており、通気抵抗が高い。また、第２の吹出口２２Ｂは、吹出風路２８Ｂにおいて、より風速の速い位置に設けられており、空気が流れやすい。
【０１４５】
そこで、風路切替ダンパ６Ｂの形状によって、第２の吹出口２２Ｂに流れる風量を減らす。また、吹出風路２８Ｂにおける空気の吹出方向に対して、第２の吹出口２２Ｂを第１の吹出口２１Ｂの下流側に配置して、第２の吹出口２２Ｂをより風速の速い位置に設ける。更に、第２の吹出口２２Ｂの開口を第１の吹出口２１Ｂより小さくして、第２の吹出口２２Ｂから吹き出される空気の風速を速くする。
【０１４６】
これにより、浴室換気乾燥暖房機１Ｂでも、第１の吹出口２１Ｂ及び第２の吹出口２２Ｂの配置及び大きさの関係と、風路切替ダンパ６Ｂの形状から、第１の吹出口２１Ｂから吹き出される空気の風量が多く、第２の吹出口２２Ｂから吹き出される空気の風速が速くなるように構成される。
【０１４７】
第１の吹出口２１Ｂと連通しヒータ５が設けられる加熱空気吹出風路は、第２の吹出口２２Ｂと連通した攪拌空気吹出風路と、仕切り部材５１Ｂにより仕切られている。
【０１４８】
ヒータ５が駆動されて通電されると、ヒータ５が加熱されることで第１の吹出口２１Ｂを通る空気が加熱され、第１の吹出口２１Ｂから温風が吹き出される。これに対して、第２の吹出口２２Ｂから吹き出された空気は、ヒータ５を通過せず、加熱が行われない。
【０１４９】
本体部３Ｂは、循環換気ファンケース２７Ｂを構成する本体シャーシ３０Ｂが金属ケース３１Ｂで覆われる。本体部３Ｂは、樹脂材料で構成される本体シャーシ３０Ｂで循環換気ファン２Ｂと一体に構成されたフランジ部３２Ｂが、下端の周縁から外側に突出する。
【０１５０】
本体シャーシ３０Ｂは、金属ケース３１Ｂから露出した下面に下カバー３３Ｂが取り付けられる。循環換気ファン２Ｂは、循環換気吸込口２０Ｂと、第１の吹出口２１Ｂ及び第２の吹出口２２Ｂが下カバー３３Ｂに設けられ、下カバー３３Ｂに風路形成枠体５０Ｂが取り付けられる。
【０１５１】
金属ケース３１Ｂは、循環換気ファン２Ｂの換気吹出口２３Ｂに対向して開口が設けられ、換気吹出口２３Ｂと連通した排気ダクトジョイント３４Ｂが側面に取り付けられる。
【０１５２】
浴室換気乾燥暖房機１Ｂは、本体部３Ｂの下面にフロントパネル４Ｂが取り付けられる。フロントパネル４Ｂは、循環換気ファン２Ｂの循環換気吸込口２０Ｂに対向した下面を開口して吸込口グリル４０Ｂが形成される。
【０１５３】
また、フロントパネル４Ｂは、循環換気ファン２Ｂの第１の吹出口２１Ｂに対向した下面を開口して第１の吹出口グリル４１Ｂが形成されると共に、第２の吹出口２２Ｂに対向した下面を開口して第２の吹出口グリル４２Ｂが形成される。
【０１５４】
第１の吹出口グリル４１Ｂは、本体部３Ｂの一の辺に沿った方向の長さを長くした長方形の開口で構成される。また、第２の吹出口グリル４２Ｂは、第１の吹出口グリル４１Ｂと同様に、本体部３Ｂの一の辺に沿った方向の長さを長くした長方形の開口で構成される。
【０１５５】
第１の吹出口グリル４１Ｂは、長手方向に沿って空気が吹き出されるように、整流板が設けられる。第２の吹出口グリル４２Ｂは、第１の吹出口グリル４１Ｂと並列する短手方向に沿って、第１の吹出口グリル４１Ｂと反対側である本体部３Ｂの外側に向けて空気が吹き出されるように、整流板４３Ｂが設けられる。
【０１５６】
＜第２の実施の形態の浴室換気乾燥暖房機の動作例＞
図９は、第２の実施の形態の浴室換気乾燥暖房機における浴室内の空気の流れを示す動作説明図、図１０〜図１３は、各運転モードにおける風路の開閉を示す動作説明図で、次に、各図を参照して、第２の実施の形態の浴室換気乾燥暖房機１Ｂの動作例について説明する。
【０１５７】
浴室換気乾燥暖房機１Ｂは、乾燥運転モードでは、風路切替ダンパ６Ｂを循環換気位置として図１０に示す第１の循環換気位置にする。浴室換気乾燥暖房機１Ｂでは、ダンパモータ６１Ｂを所定の位置に回転させ、風路切替ダンパ６Ｂの位置を第１の循環換気位置とすると、第１の吹出口２１Ｂ及び第２の吹出口２２Ｂと、換気吹出口２３Ｂの双方が開いて、循環風路と換気風路の双方が形成される。
【０１５８】
また、浴室換気乾燥暖房機１Ｂでは、風路切替ダンパ６Ｂの位置を第１の循環換気位置とすると、ダンパモータ６１Ｂの駆動で変位する突起部６２Ｂが、開閉ガイドカム溝部７１Ｂの開閉部７５Ｂを押して全開部７６Ｂに位置し、攪拌風路開閉ダンパ７Ｂが第２の吹出口２２Ｂを開く。
【０１５９】
攪拌風路開閉ダンパ７Ｂが第２の吹出口２２Ｂを開いた状態では、攪拌風路開閉ダンパ７Ｂの規制突起部７２Ｂが規制カム部６３Ｂと接し、全開状態にある攪拌風路開閉ダンパ７Ｂが、空気圧等で開閉しないように動作が規制される。
【０１６０】
浴室換気乾燥暖房機１Ｂは、乾燥運転モードでは、風路切替ダンパ６Ｂを第１の循環換気位置にすると共に、攪拌風路開閉ダンパ７Ｂで第２の吹出口２２Ｂを開くと、循環換気ファンモータ２６Ｂを駆動して羽根車２５Ｂを回転させると共に、ヒータ５に通電する。
【０１６１】
浴室換気乾燥暖房機１Ｂでは、羽根車２５Ｂが回転すると、フロントパネル４Ｂの吸込口グリル４０Ｂから、浴室１００内の空気が循環換気吸込口２０Ｂに吸い込まれる。
【０１６２】
乾燥運転モードでは、風路切替ダンパ６Ｂが第１の循環換気位置にあるので、羽根車２５Ｂが回転することで循環換気吸込口２０Ｂから吸い込まれた浴室１００の空気の一部は、第１の吹出口２１Ｂ及び第２の吹出口２２Ｂへと流れる。また、循環換気吸込口２０Ｂから吸い込まれた浴室１００の空気の残部は、換気吹出口２３Ｂへと流れて屋外へ排気される。
【０１６３】
乾燥運転モードでは、第１の吹出口２１Ｂに流れる空気は、ヒータ５によって加熱されることで、フロントパネル４Ｂの第１の吹出口グリル４１Ｂから温風ＨＡが吹き出される。
【０１６４】
また、乾燥運転モードでは、攪拌風路開閉ダンパ７Ｂが第２の吹出口２２Ｂを開いているので、第２の吹出口２２Ｂにも空気が流れる。第２の吹出口２２Ｂに流れる空気は、ヒータ５を通らないので、フロントパネル４Ｂの第２の吹出口グリル４２Ｂから、室温に応じた空気Ａが吹き出される。
【０１６５】
浴室換気乾燥暖房機１Ｂでは、第１の吹出口グリル４１Ｂから吹き出される温風は、ランドリパイプ１０５の長手方向及びランドリパイプ１０５と直交する方向に広がる。
【０１６６】
但し、浴室換気乾燥暖房機１Ｂは、第１の吹出口グリル４１Ｂの長手方向がランドリパイプ１０５と直交する向きに配置されるので、第１の吹出口グリル４１Ｂから吹き出される温風は、主にランドリパイプ１０５に直交する方向に広がる。
【０１６７】
このため、第１の吹出口グリル４１Ｂの直下近傍のランドリパイプ１０５に掛けられた衣類等の被乾燥物に対しては、幅方向の全体に温風が当てられる。これに対して、第１の吹出口グリル４１Ｂの直下から離れた位置のランドリパイプ１０５に掛けられた被乾燥物に対しては、第１の吹出口グリル４１から吹き出される温風が直接は当たりにくい。
【０１６８】
浴室換気乾燥暖房機１Ｂでは、第２の吹出口グリル４２Ｂから吹き出される空気は、第１の吹出口グリル４１Ｂに対して第２の吹出口グリル４２Ｂが設けられる側の浴室１００の壁面１０６ａに向けられる。
【０１６９】
第２の吹出口グリル４２Ｂから吹き出される空気は、上述したように、第１の吹出口２１Ｂ及び第２の吹出口２２Ｂの配置及び大きさの関係から、第１の吹出口グリル４１Ｂから吹き出される空気より風速が速い。また、第２の吹出口グリル４２Ｂから吹き出される空気は、ヒータ５を通らないので、第１の吹出口グリル４１Ｂから吹き出される空気より温度が低い。
【０１７０】
これにより、乾燥モードでは、図９（ａ）に示すように、第２の吹出口グリル４２Ｂから吹き出される空気Ａは、浴室１００の一方の壁面１０６ａに当てられ、矢印Ａ１で示すように壁面１０６ａに沿って下方に流れる。壁面１０６ａに沿って下方に流れる空気は、矢印Ａ２で示すように浴室１００の下層付近を、主に他方の壁面１０６ｂに向かって流れる。
【０１７１】
浴室換気乾燥暖房機１Ｂでは、吸込口グリル４０Ｂから吸い込まれる空気ＲＡによって、浴室１００内で空気を循環させる流れを生じさせているので、浴室１００の下層付近を他方の壁面１０６ｂに向かって流れる空気は、矢印Ａ３で示すように壁面１０６ｂに沿って上方に流れ、吸込口グリル４０Ｂから吸い込まれる。
【０１７２】
このように、浴室換気乾燥暖房機１Ｂでも、第２の吹出口グリル４２Ｂから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１７３】
乾燥運転モードでは、浴室換気乾燥暖房機１Ｂの第１の吹出口グリル４１Ｂから吹き出される空気は、ヒータ５で加熱されて温度が上げられ、相対湿度が下げられているので、第２の吹出口グリル４２Ｂから吹き出される空気に比べ軽い。
【０１７４】
このため、第１の吹出口グリル４１Ｂから吹き出される空気に比べ重い第２の吹出口グリル４２Ｂから吹き出される空気は、浴室１００の下層まで流れ、浴室１００内の全体に、空気を攪拌する風の流れを生じさせることができる。
【０１７５】
これにより、第１の吹出口グリル４１Ｂから吹き出される温風が、直接は当たりにくい第１の吹出口グリル４１Ｂの直下から離れた位置のランドリパイプ１０５に掛けられた被乾燥物付近にも、空気の流れを生じさせることができる。
【０１７６】
第１の吹出口２１Ｂ及び第２の吹出口２２Ｂの配置及び大きさの関係と、風路切替ダンパ６Ｂの形状から、第１の吹出口グリル４１Ｂから吹き出される温風の風量は、第２の吹出口グリル４２Ｂから吹き出される空気より多い。よって、第２の吹出口グリル４２Ｂから吹き出される空気で攪拌される浴室１００内の空気の流れで、第１の吹出口グリル４１Ｂから吹き出される十分な量の温風ＨＡを、浴室１００内で循環させることができる。
【０１７７】
従って、第２の実施の形態の浴室換気乾燥暖房機１Ｂでも、被乾燥物の水分が蒸発しやすくなり、従来とヒータ５の出力を同じとすれば、乾燥時間を短縮することができ、被乾燥物の乾燥に要するエネルギーを低減させることができる。
【０１７８】
また、従来と乾燥時間を同じとすれば、ヒータ５の出力を低下させることができ、やはり被乾燥物の乾燥に要するエネルギーを低減させることができる。また、浴室１００内の空気の一部は屋外に排気されて換気が行われるので、湿気等を排出して、被乾燥物の乾燥を促進することができる。なお、本例でも、乾燥運転モードでは、循環換気ファン２Ｂの駆動開始と共にヒータ５を駆動して、運転当初より温風を吹き出す例で説明したが、運転当初ではヒータ５を非駆動として室温に応じた送風を吹き出し、所定の時間経過後、ヒータ５を駆動して温風を吹き出すようにしても良い。ヒータ５の駆動を遅延する運転でも、被乾燥物の水分が蒸発しやすくなり、被乾燥物の乾燥に要するエネルギーを低減させることができる。
【０１７９】
浴室換気乾燥暖房機１Ｂは、循環換気運転モードでは、風路切替ダンパ６Ｂを循環換気位置として図１１に示す第２の循環換気位置にする。浴室換気乾燥暖房機１Ｂでは、ダンパモータ６１Ｂを所定の位置に回転させ、風路切替ダンパ６Ｂの位置を第２の循環換気位置とすると、第１の吹出口２１Ｂ及び第２の吹出口２２Ｂと、換気吹出口２３Ｂの双方が開く。第２の循環換気位置では、第１の循環換気位置に対して、換気吹出口２３Ｂの開度が大きく設定され、換気風量が増やされる。
【０１８０】
また、浴室換気乾燥暖房機１Ｂでは、風路切替ダンパ６Ｂの位置を第２の循環換気位置とすると、ダンパモータ６１Ｂの駆動で変位する突起部６２Ｂが、第１の循環換気位置と同様に開閉ガイドカム溝部７１Ｂの開閉部７５Ｂを押して全開部７６Ｂに位置し、攪拌風路開閉ダンパ７Ｂが第２の吹出口２２Ｂを開く。
【０１８１】
浴室換気乾燥暖房機１Ｂは、循環換気運転モードでは、風路切替ダンパ６Ｂを第２の循環換気位置にすると共に、攪拌風路開閉ダンパ７Ｂで第２の吹出口２２Ｂを開くと、ヒータ５を非駆動として、循環換気ファンモータ２６Ｂで羽根車２５Ｂを回転させる。
【０１８２】
循環換気運転モードでは、風路切替ダンパ６Ｂが第２の循環換気位置にあるので、循環換気吸込口２０Ｂから吸い込まれた浴室１００の空気の一部は、第１の吹出口２１Ｂ及び第２の吹出口２２Ｂへと流れる。また、循環換気吸込口２０Ｂから吸い込まれた浴室１００の空気の残部は、換気吹出口２３Ｂへと流れて屋外へ排気される。
【０１８３】
循環換気運転モードでは、第１の吹出口２１Ｂに流れる空気は、ヒータ５が非駆動であるので、フロントパネル４Ｂの第１の吹出口グリル４１Ｂから、室温に応じた空気が吹き出される。
【０１８４】
また、循環換気運転モードでも、攪拌風路開閉ダンパ７Ｂが第２の吹出口２２Ｂを開いているので、第２の吹出口２２Ｂにも空気が流れる。第２の吹出口２２Ｂに流れる空気は、ヒータ５を通らないので、フロントパネル４Ｂの第２の吹出口グリル４２Ｂから、室温に応じた空気が吹き出される。
【０１８５】
浴室換気乾燥暖房機１Ｂでは、循環換気運転モードでも、第２の吹出口グリル４２Ｂから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１８６】
これにより、循環換気運転モードでも、浴室１００内の全体に、空気を攪拌する風の流れを生じさせることができ、浴室１００内で、第１の吹出口グリル４１Ｂから吹き出される空気が直接は当たりにくいような場所でも、空気の流れを生じさせることができる。
【０１８７】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【０１８８】
浴室換気乾燥暖房機１Ｂは、暖房運転モードでは、風路切替ダンパ６Ｂを図１２に示す循環位置にする。浴室換気乾燥暖房機１Ｂでは、ダンパモータ６１Ｂを所定の位置に回転させ、風路切替ダンパ６Ｂの位置を循環位置とすると、換気吹出口２３Ｂが閉じる。
【０１８９】
また、浴室換気乾燥暖房機１Ｂでは、風路切替ダンパ６Ｂの位置を循環位置とすると、ダンパモータ６１Ｂの駆動で変位する突起部６２Ｂが、開閉ガイドカム溝部７１Ｂの開閉部７３Ｂを押して全閉部７４Ｂに位置し、攪拌風路開閉ダンパ７Ｂが第２の吹出口２２Ｂを閉じる。これにより、第１の吹出口２１Ｂが開いて、循環換気吸込口２０Ｂから第１の吹出口２１Ｂへ連通した循環風路が形成される。
【０１９０】
浴室換気乾燥暖房機１Ｂは、暖房運転モードでは、風路切替ダンパ６Ｂを循環位置にすると共に、攪拌風路開閉ダンパ７Ｂで第２の吹出口２２Ｂを閉じると、ヒータ５に通電すると共に、循環換気ファンモータ２６Ｂを駆動して羽根車２５Ｂを回転させる。
【０１９１】
暖房運転モードでは、風路切替ダンパ６Ｂが循環位置にあり、第２の吹出口２２Ｂが攪拌風路開閉ダンパ７Ｂで閉じられているので、循環換気吸込口２０Ｂから吸い込まれた浴室１００の空気の略全量が、第１の吹出口２１Ｂへと流れる。
【０１９２】
暖房運転モードでは、図９（ｂ）に示すように、第１の吹出口２１Ｂに流れる空気は、ヒータ５によって加熱されることで、フロントパネル４Ｂの第１の吹出口グリル４１Ｂから温風ＨＡが吹き出される。第２の吹出口２２Ｂは、攪拌風路開閉ダンパ７Ｂで閉じられているので、暖房運転モードでは、ヒータ５を通らない空気は吹き出されない。
【０１９３】
暖房運転モードで、ヒータで温度が上げられていない空気が浴室内に吹き出されると、浴室内に入浴者が居る場合には、入浴者に風が当たると寒さを感じる。そこで、浴室換気乾燥暖房機１Ｂでは、第２の吹出口２２Ｂに攪拌風路開閉ダンパ７Ｂを備え、暖房運転モードでは、第２の吹出口２２Ｂを閉じられるようにした。
【０１９４】
これにより、暖房運転モードでは、ヒータ５で温度が上げられていない空気が吹き出されて入浴者に当たることが防止され、入浴者が寒さを感じることを抑えることができる。
【０１９５】
浴室換気乾燥暖房機１Ｂは、換気運転モードでは、風路切替ダンパ６Ｂを図１３に示す換気位置にする。浴室換気乾燥暖房機１Ｂでは、ダンパモータ６１Ｂを所定の位置に回転させ、風路切替ダンパ６Ｂの位置を換気位置とすると、換気吹出口２３Ｂが開いて、循環換気吸込口２０Ｂから換気吹出口２３Ｂへ連通した換気風路が形成される。
【０１９６】
また、浴室換気乾燥暖房機１Ｂでは、風路切替ダンパ６Ｂの位置を換気位置とすると、ダンパモータ６１Ｂの駆動で変位する突起部６２Ｂが、開閉部７５Ｂを押して全開部７６Ｂに位置し、攪拌風路開閉ダンパ７Ｂが第２の吹出口２２Ｂを開く。但し、換気運転モードでは、換気位置にある風路切替ダンパ６Ｂで第１の吹出口２１Ｂ及び第２の吹出口２２Ｂが閉じられているので、第２の吹出口２２Ｂから空気が吹き出されない。
【０１９７】
浴室換気乾燥暖房機１Ｂは、換気運転モードでは、風路切替ダンパ６Ｂを換気位置にすると、ヒータ５非駆動として、循環換気ファンモータ２６Ｂを駆動して羽根車２５Ｂを回転させる。
【０１９８】
換気運転モードでは、風路切替ダンパ６Ｂが換気位置にあるので、循環換気吸込口２０Ｂから吸い込まれた浴室１００の空気の略全量が換気吹出口２３Ｂへと流れ、屋外へ排気される。従って、換気運転モードでは、浴室１００内の湯気や湿気を排出して結露等を抑制し、カビの発生を抑えることができる。
【０１９９】
＜各実施の形態の浴室換気乾燥暖房機の変形例＞
（１）循環ファンと換気ファンを設けた例
上述した第１の実施の形態及び第２の実施の形態の浴室換気乾燥暖房機では、１つのファンで浴室内の空気を循環させる動作と換気する動作を実現したが、異なるファンで浴室内の空気を循環させる動作と換気する動作を実現しても良い。
【０２００】
図１４及び図１５は、各実施の形態の浴室換気乾燥暖房機の変形例を示す構成図で、図１４は、浴室換気乾燥暖房機の内部構成を示す側面図、図１５は、下面側から見た平面図である。なお、以下の例では、第２の実施の形態の浴室換気乾燥暖房機１Ｂに適用した例として説明するが、第１の実施の形態の浴室換気乾燥暖房機１Ａに適用しても良い。
【０２０１】
変形例の浴室換気乾燥暖房機１Ｃは、図４で説明した浴室１００内の空気を吸い込み、吸い込んだ空気を浴室１００内に吹き出す循環ファン２Ｃと、浴室１００内の空気を吸い込み、屋外へ排気する換気ファン８Ｃを備える。
【０２０２】
浴室換気乾燥暖房機１Ｃは、図４に示す設置形態と同様に、循環ファン２Ｃ及び換気ファン８Ｃを有した本体部３Ｃが、フロントパネル４Ｃを露出させた形態で、浴室１００の天井に取り付けられる。
【０２０３】
循環ファン２Ｃは、浴室１００内の空気が吸い込まれる循環吸込口２０Ｃと、ヒータ５を有して温風が吹き出される第１の吹出口２１Ｃと、浴室１００内の空気を攪拌する風を発生させる第２の吹出口２２Ｃを備える。また、循環ファン２Ｃは、第２の吹出口２２Ｃを開閉する攪拌風路開閉ダンパ７Ｃを備える。
【０２０４】
更に、循環ファン２Ｃは、多翼の羽根車２５Ｃと、羽根車２５Ｃを駆動する循環ファンモータ２６Ｃと、風路を形成する循環ファンケース２７Ｃを備える。循環ファン２Ｃは、羽根車２５Ｃが循環ファンモータ２６Ｃに駆動されて回転することで遠心方向に吹き出される空気を、循環ファンケース２７Ｃで整流して、羽根車２５Ｃの接線方向に沿って吹き出される空気の流れを発生させる。
【０２０５】
循環吸込口２０Ｃは、羽根車２５Ｃの回転軸に沿った下方に、ベルマウスと称される円形の開口を設けて構成される。第１の吹出口２１Ｃは、循環ファンケース２７Ｃによる空気の吹出方向に沿った辺を短辺とした長方形の開口を、吹出風路２８Ｃの下面に設けて構成される。
【０２０６】
第２の吹出口２２Ｃは、循環ファンケース２７Ｃによる空気の吹出方向に沿った辺を短辺とした長方形の開口を、吹出風路２８Ｃの下面において、第１の吹出口２１Ｃに対して循環吸込口２０Ｃの反対側に設けて構成される。
【０２０７】
攪拌風路開閉ダンパ７Ｃは、図示しないダンパモータの駆動力が伝達され、軸７０Ｃを支点に回転して、第２の吹出口２２Ｃの開閉動作を行う。
【０２０８】
第１の吹出口２１Ｃと第２の吹出口２２Ｃは、第１の吹出口２１Ｃから吹き出される空気の風量が多く、第２の吹出口２２Ｃから吹き出される空気の風速が速くなるように、第１の吹出口２１Ｃに対して第２の吹出口２２Ｃの開口が小さく構成される。
【０２０９】
本例では、第１の吹出口２１Ｃと第２の吹出口２２Ｃは、循環ファンケース２７Ｃによる空気の吹出方向に沿った短辺が、第１の吹出口２１Ｃに対して第２の吹出口２２Ｃが短く構成される。また、第１の吹出口２１Ｃの長辺に対して第２の吹出口２２Ｃの長辺が同じ長さに構成される。
【０２１０】
換気ファン８Ｃは、浴室１００内の空気が吸い込まれる換気吸込口８０Ｃと、換気吸込口８０Ｃから吸い込んだ空気を室外に排気する換気吹出口８１Ｃを備える。また、換気ファン８Ｃは、多翼の羽根車８２Ｃと、羽根車２５Ｃを駆動する図示しない換気ファンモータと、風路を形成する換気ファンケース８３Ｃを備える。
【０２１１】
換気ファン８Ｃは、羽根車８２Ｃが回転することで遠心方向に吹き出される空気を、換気ファンケース８３Ｃで整流して、羽根車８２Ｃの接線方向に沿って吹き出される空気の流れを発生させる。
【０２１２】
換気吸込口８０Ｃは、羽根車８２Ｃの回転軸に沿った下方に、ベルマウスと称される円形の開口を設けて構成される。換気吹出口８１Ｃは、本体部３Ｃの側面に設けられ、排気ダクトジョイント３４Ｃが取り付けられる。
【０２１３】
フロントパネル４Ｃは、循環ファン２Ｃの循環吸込口２０Ｃと、換気ファン８Ｃの換気吸込口８０Ｃに対向した下面を開口して吸込口グリル４０Ｃが形成される。
【０２１４】
また、フロントパネル４Ｃは、循環ファン２Ｃの第１の吹出口２１Ｃに対向した下面を開口して第１の吹出口グリル４１Ｃが形成されると共に、第２の吹出口２２Ｃに対向した下面を開口して第２の吹出口グリル４２Ｃが形成される。
【０２１５】
第２の吹出口グリル４２Ｃは、第１の吹出口グリル４１Ｃと並列する短手方向に沿って、第１の吹出口グリル４１Ｃと反対側である本体部３Ｃの外側に向けて空気が吹き出されるように、整流板４３Ｃが設けられる。
【０２１６】
なお、浴室換気乾燥暖房機１Ｃでは、循環ファン２Ｃと換気ファン８Ｃが並列される構成で説明したが、循環ファン２Ｃと換気ファン８Ｃが上下に重ねられる構成でも良い。
【０２１７】
変形例の浴室換気乾燥暖房機１Ｃの動作について説明すると、乾燥運転モードでは、攪拌風路開閉ダンパ７Ｃで第２の吹出口２２Ｃを開き、循環ファン２Ｃで羽根車２５Ｃを回転させると共に、ヒータ５に通電する。また、換気ファン８Ｃで羽根車８２Ｃを回転させる。なお、本例でも、乾燥運転モードでの運転当初はヒータ５を非駆動として室温に応じた送風を吹き出し、所定の時間経過後、ヒータ５を駆動して温風を吹き出すようにしても良い。
【０２１８】
浴室換気乾燥暖房機１Ｃでは、循環ファン２Ｃの羽根車２５Ｃが回転すると、フロントパネル４Ｃの吸込口グリル４０Ｃから、浴室内の空気が循環吸込口２０Ｃに吸い込まれる。また、換気ファン８Ｃの羽根車８２Ｃが回転すると、フロントパネル４Ｃの吸込口グリル４０Ｃから、浴室内の空気が換気吸込口８０Ｃに吸い込まれる。
【０２１９】
乾燥運転モードでは、循環ファン２Ｃと換気ファン８Ｃの両方が駆動されることで、循環ファン２Ｃで循環吸込口２０Ｃから吸い込まれた浴室の空気は、第１の吹出口２１Ｃ及び第２の吹出口２２Ｃへと流れる。また、換気ファン８Ｃで換気吸込口８０Ｃから吸い込まれた浴室の空気は、換気吹出口８１Ｃへと流れて屋外へ排気される。
【０２２０】
乾燥運転モードでは、第１の吹出口２１Ｃに流れる空気は、ヒータ５によって加熱されることで、フロントパネル４Ｃの第１の吹出口グリル４１Ｃから、浴室内に温風が吹き出される。
【０２２１】
また、乾燥運転モードでは、攪拌風路開閉ダンパ７Ｃが第２の吹出口２２Ｃを開いているので、第２の吹出口２２Ｃにも空気が流れる。第２の吹出口２２Ｃに流れる空気は、ヒータ５を通らないので、フロントパネル４Ｃの第２の吹出口グリル４２Ｃから、浴室内に室温に応じた空気が吹き出される。
【０２２２】
浴室換気乾燥暖房機１Ｃでは、第２の吹出口グリル４２Ｃから吹き出される空気は、第１の吹出口グリル４１Ｃに対して第２の吹出口グリル４２Ｃが設けられる側の浴室の一方の壁面に向けられる。
【０２２３】
第２の吹出口グリル４２Ｃから吹き出される空気は、第１の吹出口２１Ｃ及び第２の吹出口２２Ｃの配置及び大きさの関係から、第１の吹出口グリル４１Ｃから吹き出される空気より風速が速い。また、第２の吹出口グリル４２Ｃから吹き出される空気は、ヒータ５を通らないので、第１の吹出口グリル４１Ｃから吹き出される空気より温度が低い。
【０２２４】
これにより、浴室換気乾燥暖房機１Ｃでも、第２の吹出口グリル４２Ｃから吹き出される風速の速い空気によって、浴室の一方の壁面に沿って下方に向かい、浴室の下層付近を他方の壁面に向かい、他方の壁面に沿って上方に向かう空気の流れを発生させることができる。
【０２２５】
乾燥運転モードでは、浴室換気乾燥暖房機１Ｃの第１の吹出口グリル４１Ｃから吹き出される空気は、ヒータ５で加熱されて温度が上げられ、相対湿度が下げられているので、第２の吹出口グリル４２Ｃから吹き出される空気に比べ軽い。
【０２２６】
このため、第１の吹出口グリル４１Ｃから吹き出される空気に比べ重い第２の吹出口グリル４２Ｃから吹き出される空気は、浴室の下層まで流れ、浴室内の全体に、空気を攪拌する風の流れを生じさせることができる。
【０２２７】
これにより、第１の吹出口グリル４１Ｃから吹き出される温風が、直接は当たりにくい位置の被乾燥物付近にも、空気の流れを生じさせることができる。従って、変形例の浴室換気乾燥暖房機１Ｃでも、被乾燥物の水分が蒸発しやすくなり、被乾燥物の乾燥に要するエネルギーを低減させることができる。
【０２２８】
また、浴室内の空気の一部は屋外に排気されて換気が行われるので、湿気等を排出して、被乾燥物の乾燥を促進することができる。
【０２２９】
浴室換気乾燥暖房機１Ｃは、循環換気運転モードでは、攪拌風路開閉ダンパ７Ｃで第２の吹出口２２Ｃを開き、ヒータ５を非駆動として、循環ファン２Ｃで羽根車２５Ｃを回転させる。また、換気ファン８Ｃで羽根車８２Ｃを回転させる。
【０２３０】
循環換気運転モードでも、循環ファン２Ｃと換気ファン８Ｃの両方が駆動されることで、循環ファン２Ｃで循環吸込口２０Ｃから吸い込まれた浴室の空気は、第１の吹出口２１Ｃ及び第２の吹出口２２Ｃへと流れる。また、換気ファン８Ｃで換気吸込口８０Ｃから吸い込まれた浴室の空気は、換気吹出口８１Ｃへと流れて屋外へ排気される。
【０２３１】
循環換気運転モードでは、第１の吹出口２１Ｃに流れる空気は、ヒータ５が非駆動であるので、フロントパネル４Ｃの第１の吹出口グリル４１Ｃから、室温に応じた空気が吹き出される。
【０２３２】
また、循環換気運転モードでは、攪拌風路開閉ダンパ７Ｃが第２の吹出口２２Ｃを開いているので、第２の吹出口２２Ｃにも空気が流れる。第２の吹出口２２Ｃに流れる空気は、ヒータ５を通らないので、フロントパネル４Ｃの第２の吹出口グリル４２Ｃから、室温に応じた空気が吹き出される。
【０２３３】
浴室換気乾燥暖房機１Ｃでは、循環換気運転モードでも、第２の吹出口グリル４２Ｃから吹き出される風速の速い空気によって、浴室の一方の壁面に沿って下方に向かい、浴室の下層付近を他方の壁面に向かい、他方の壁面に沿って上方に向かう空気の流れを発生させることができる。
【０２３４】
これにより、循環換気運転モードでも、浴室内の全体に、空気を攪拌する風の流れを生じさせることができ、浴室内で、第１の吹出口グリル４１Ｃから吹き出される空気が直接は当たりにくいような場所でも、空気の流れを生じさせることができる。
【０２３５】
従って、浴室の各壁面、床面等の乾燥時間を短縮することができる。また、浴室内の空気の一部は屋外に排気されて換気が行われるので、湿気等を排出して、浴室１００の各壁面、床面等の乾燥を促進することができる。
【０２３６】
浴室換気乾燥暖房機１Ｃは、暖房運転モードでは、攪拌風路開閉ダンパ７Ｃで第２の吹出口２２Ｃを閉じ、循環ファン２Ｃで羽根車２５Ｃを回転させると共に、ヒータ５に通電する。換気ファン８Ｃは駆動しない。
【０２３７】
暖房運転モードでは、第２の吹出口２２Ｃが攪拌風路開閉ダンパ７Ｃで閉じられているので、循環ファン２Ｃが駆動されて循環吸込口２０Ｃから吸い込まれた浴室の空気の略全量が、第１の吹出口２１Ｃへと流れる。
【０２３８】
暖房運転モードでは、第１の吹出口２１Ｃに流れる空気は、ヒータ５によって加熱されることで、フロントパネル４Ｃの第１の吹出口グリル４１Ｃから温風が吹き出される。第２の吹出口２２Ｃは、攪拌風路開閉ダンパ７Ｃで閉じられているので、暖房運転モードでは、ヒータ５を通らない空気は吹き出されない。
【０２３９】
これにより、暖房運転モードでは、ヒータ５で温度が上げられていない空気が吹き出されて入浴者に当たることが防止され、入浴者が寒さを感じることを抑えることができる。また、換気ファン８Ｃが駆動されないことで、浴室内の暖められた空気が換気されず、浴室内の温度低下を抑えることができる。
【０２４０】
浴室換気乾燥暖房機１Ｃは、換気運転モードでは、換気ファン８Ｃを駆動して羽根車８２Ｃを回転させる。循環ファン２Ｃは駆動しない。換気運転モードでは、換気ファン８Ｃが駆動されることで、換気ファン８Ｃで換気吸込口８０Ｃから吸い込まれた浴室の空気は、換気吹出口８１Ｃへと流れて屋外へ排気される。従って、換気運転モードでは、浴室内の湯気や湿気を排出して結露等を抑制し、カビの発生を抑えることができる。
【０２４１】
（２）風路切替ダンパと攪拌風路開閉ダンパの駆動源を異ならせた例
次に、第２の実施の形態の浴室暖房換気乾燥機の変形例について説明する。上述した第２の実施の形態の浴室換気乾燥暖房機では、１つの駆動源で風路切替ダンパと攪拌風路開閉ダンパを連動させて駆動する構成としたが、異なる駆動源で風路切替ダンパと攪拌風路開閉ダンパを駆動しても良い。
【０２４２】
図１６は、第２の実施の形態の浴室換気乾燥暖房機の変形例を示す構成図である。第２の実施の形態の変形例の浴室換気乾燥暖房機１Ｄは、空気を吸い込んで吹き出す循環換気ファン２Ｄを有した本体部３Ｄが、図４に示す設置形態と同様に、フロントパネル４Ｄを露出させた形態で、浴室の天井に取り付けられる。
【０２４３】
浴室換気乾燥暖房機１Ｄは、浴室内の空気が吸い込まれる循環換気吸込口２０Ｄと、ヒータ５を有して温風が吹き出される第１の吹出口２１Ｄと、浴室内の空気を攪拌する風を発生させる第２の吹出口２２Ｄを備える。また、浴室換気乾燥暖房機１Ｄは、循環換気吸込口２０Ｄから吸い込んだ空気を室外に排気する換気吹出口２３Ｄを備える。
【０２４４】
更に、浴室換気乾燥暖房機１Ｄは、第１の吹出口２１Ｄ及び第２の吹出口２２Ｄと、換気吹出口２３Ｄとの間で風路を切り替える風路切替ダンパ６Ｄを備える。また、浴室換気乾燥暖房機１Ｄは、第２の吹出口２２Ｄを開閉する攪拌風路開閉ダンパ７Ｄを備える。
【０２４５】
循環換気ファン２Ｄは、多翼の羽根車２５Ｄと、羽根車２５Ｄを駆動する循環換気ファンモータ２６Ｄと、風路を形成する循環換気ファンケース２７Ｄを備える。
【０２４６】
循環換気吸込口２０Ｄは、羽根車２５Ｄの回転軸に沿った下方に、ベルマウスと称される円形の開口を設けて構成される。第１の吹出口２１Ｄは、循環換気ファンケース２７Ｄによる空気の吹出方向に沿った辺を短辺とした長方形の開口を、吹出風路２８Ｄの下面に設けて構成される。
【０２４７】
第２の吹出口２２Ｄは、循環換気ファンケース２７Ｄによる空気の吹出方向に沿った辺を短辺とした長方形の開口を、吹出風路２８Ｄの下面において、第１の吹出口２１Ｄに対して循環換気吸込口２０Ｄの反対側に設けて構成される。換気吹出口２３Ｄは、本体部３Ｄの側面に設けられ、排気ダクトジョイント３４Ｄが取り付けられる。
【０２４８】
第１の吹出口２１Ｄと第２の吹出口２２Ｄは、第１の吹出口２１Ｄから吹き出される空気の風量が多く、第２の吹出口２２Ｄから吹き出される空気の風速が速くなるように、第１の吹出口２１Ｄに対して第２の吹出口２２Ｄの開口が小さく構成される。
【０２４９】
風路切替ダンパ６Ｄは風路開閉手段の一例で、回転による開閉動作の軸６０Ｄが設けられ、第１のダンパモータ６１Ｄの駆動力が伝達されて、第１の吹出口２１Ｄ及び第２の吹出口２２Ｄと、換気吹出口２３Ｄとの開閉動作を行う。
【０２５０】
攪拌風路開閉ダンパ７Ｄは開閉手段の一例で、回転による開閉動作の軸７０Ｄが設けられ、第２のダンパモータ７１Ｄの駆動力が伝達されて、第２の吹出口２２Ｄの開閉動作を行う。
【０２５１】
フロントパネル４Ｄは、循環換気ファン２Ｄの循環換気吸込口２０Ｄと対向した下面を開口して吸込口グリル４０Ｄが形成される。また、フロントパネル４Ｄは、循環換気ファン２Ｄの第１の吹出口２１Ｄに対向した下面を開口して第１の吹出口グリル４１Ｄが形成されると共に、第２の吹出口２２Ｄに対向した下面を開口して第２の吹出口グリル４２Ｄが形成される。
【０２５２】
第２の吹出口グリル４２Ｄは、第１の吹出口グリル４１Ｄと並列する短手方向に沿って、第１の吹出口グリル４１Ｄと反対側である本体部３Ｄの外側に向けて空気が吹き出されるように、整流板４３Ｄが設けられる。
【０２５３】
変形例の浴室換気乾燥暖房機１Ｄの動作について説明すると、乾燥運転モードでは、第１のダンパモータ６１Ｄを駆動して、風路切替ダンパ６Ｄを図１６に破線で示す循環換気位置にする。また、第２のダンパモータ７１Ｄを駆動して、攪拌風路開閉ダンパ７Ｄを図１６に破線で示す開位置にする。
【０２５４】
浴室換気乾燥暖房機１Ｄは、乾燥運転モードでは、風路切替ダンパ６Ｄを循環換気位置にすると共に、攪拌風路開閉ダンパ７Ｄで第２の吹出口２２Ｄを開くと、循環換気ファンモータ２６Ｄを駆動して羽根車２５Ｄを回転させると共に、ヒータ５に通電する。なお、本例でも、乾燥運転モードでの運転当初はヒータ５を非駆動として室温に応じた送風を吹き出し、所定の時間経過後、ヒータ５を駆動して温風を吹き出すようにしても良い。
【０２５５】
乾燥運転モードでは、風路切替ダンパ６Ｄが循環換気位置にあるので、羽根車２５Ｄが回転することで、フロントパネル４Ｄの吸込口グリル４０Ｄを通り循環換気吸込口２０Ｄから吸い込まれた浴室の空気の一部は、第１の吹出口２１Ｄ及び第２の吹出口２２Ｄへと流れる。また、循環換気吸込口２０Ｄから吸い込まれた浴室の空気の残部は、換気吹出口２３Ｄへと流れて屋外へ排気される。
【０２５６】
乾燥運転モードでは、第１の吹出口２１Ｄに流れる空気は、ヒータ５によって加熱されることで、フロントパネル４Ｄの第１の吹出口グリル４１Ｄから温風が吹き出される。
【０２５７】
また、乾燥運転モードでは、攪拌風路開閉ダンパ７Ｄが第２の吹出口２２Ｄを開いているので、第２の吹出口２２Ｄにも空気が流れる。第２の吹出口２２Ｄに流れる空気は、ヒータ５を通らないので、フロントパネル４Ｄの第２の吹出口グリル４２Ｄから、室温に応じた空気が吹き出される。
【０２５８】
第２の吹出口グリル４２Ｄから吹き出される空気は、第１の吹出口２１Ｄ及び第２の吹出口２２Ｄの配置及び大きさの関係から、第１の吹出口グリル４１Ｄから吹き出される空気より風速が速い。また、第２の吹出口グリル４２Ｄから吹き出される空気は、ヒータ５を通らないので、第１の吹出口グリル４１Ｄから吹き出される空気より温度が低い。
【０２５９】
これにより、浴室換気乾燥暖房機１Ｄでも、第２の吹出口グリル４２Ｄから吹き出される風速の速い空気によって、浴室の一方の壁面に沿って下方に向かい、浴室の下層付近を他方の壁面に向かい、他方の壁面に沿って上方に向かう空気の流れを発生させることができる。
【０２６０】
乾燥運転モードでは、浴室換気乾燥暖房機１Ｄの第１の吹出口グリル４１Ｄから吹き出される空気は、ヒータ５で加熱されて温度が上げられ、相対湿度が下げられているので、第２の吹出口グリル４２Ｄから吹き出される空気に比べ軽い。
【０２６１】
このため、第１の吹出口グリル４１Ｄから吹き出される空気に比べ重い第２の吹出口グリル４２Ｄから吹き出される空気は、浴室の下層まで流れ、浴室内の全体に、空気を攪拌する風の流れを生じさせることができる。
【０２６２】
これにより、第１の吹出口グリル４１Ｄから吹き出される温風が、直接は当たりにくい位置の被乾燥物付近にも、空気の流れを生じさせることができる。従って、変形例の浴室換気乾燥暖房機１Ｄでも、被乾燥物の水分が蒸発しやすくなり、被乾燥物の乾燥に要するエネルギーを低減させることができる。
【０２６３】
また、浴室内の空気の一部は屋外に排気されて換気が行われるので、湿気等を排出して、被乾燥物の乾燥を促進することができる。更に、異なる駆動源で風路切替ダンパ６Ｄと攪拌風路開閉ダンパ７Ｄを開閉することで、第１の吹出口２１Ｄから温風を吹き出すタイミングと、第２の吹出口２２Ｄから室内の空気を攪拌するための送風を吹き出すタイミングを変えることができる。
【０２６４】
浴室換気乾燥暖房機１Ｄは、循環換気運転モードでは、第１のダンパモータ６１Ｄを駆動して、風路切替ダンパ６Ｄを図１６に破線で示す循環換気位置にする。また、第２のダンパモータ７１Ｄを駆動して、攪拌風路開閉ダンパ７Ｄを図１８に破線で示す開位置にする。
【０２６５】
浴室換気乾燥暖房機１Ｄは、循環換気運転モードでは、風路切替ダンパ６Ｄを循環換気位置にすると共に、攪拌風路開閉ダンパ７Ｄで第２の吹出口２２Ｄを開くと、ヒータ５を非駆動として、循環換気ファンモータ２６Ｄを駆動して羽根車２５Ｄを回転させる。
【０２６６】
循環換気運転モードでは、風路切替ダンパ６Ｄが循環換気位置にあるので、循環換気吸込口２０Ｄから吸い込まれた浴室の空気の一部は、第１の吹出口２１Ｄ及び第２の吹出口２２Ｄへと流れる。また、循環換気吸込口２０Ｄから吸い込まれた浴室の空気の残部は、換気吹出口２３Ｄへと流れて屋外へ排気される。
【０２６７】
循環換気運転モードでは、第１の吹出口２１Ｄに流れる空気は、ヒータ５が非駆動であるので、フロントパネル４Ｄの第１の吹出口グリル４１Ｄから、室温に応じた空気が吹き出される。
【０２６８】
また、循環換気運転モードでも、攪拌風路開閉ダンパ７Ｄが第２の吹出口２２Ｄを開いているので、第２の吹出口２２Ｄにも空気が流れる。第２の吹出口２２Ｄに流れる空気は、ヒータ５を通らないので、フロントパネル４Ｄの第２の吹出口グリル４２Ｄから、室温に応じた空気が吹き出される。
【０２６９】
浴室換気乾燥暖房機１Ｄでは、循環換気運転モードでも、第２の吹出口グリル４２Ｄから吹き出される風速の速い空気によって、浴室の一方の壁面に沿って下方に向かい、浴室の下層付近を他方の壁面に向かい、他方の壁面に沿って上方に向かう空気の流れを発生させることができる。
【０２７０】
これにより、循環換気運転モードでも、浴室内の全体に、空気を攪拌する風の流れを生じさせることができ、浴室内で、第１の吹出口グリル４１Ｄから吹き出される空気が直接は当たりにくいような場所でも、空気の流れを生じさせることができる。
【０２７１】
従って、浴室の各壁面、床面等の乾燥時間を短縮することができる。また、浴室内の空気の一部は屋外に排気されて換気が行われるので、湿気等を排出して、浴室の各壁面、床面等の乾燥を促進することができる。
【０２７２】
浴室換気乾燥暖房機１Ｄは、暖房運転モードでは、第１のダンパモータ６１Ｄを駆動して、風路切替ダンパ６Ｄを図１６に実線で示す循環位置にする。また、第２のダンパモータ７１Ｄを駆動して、攪拌風路開閉ダンパ７Ｄを図１６に実線で示す閉位置にする。
【０２７３】
浴室換気乾燥暖房機１Ｄは、暖房運転モードでは、風路切替ダンパ６Ｄを循環位置にすると共に、攪拌風路開閉ダンパ７Ｄで第２の吹出口２２Ｄを閉じると、ヒータ５に通電すると共に、循環換気ファンモータ２６Ｄを駆動して羽根車２５Ｄを回転させる。
【０２７４】
暖房運転モードでは、風路切替ダンパ６Ｄが循環位置にあり、第２の吹出口２２Ｄが攪拌風路開閉ダンパ７Ｄで閉じられているので、循環換気吸込口２０Ｄから吸い込まれた浴室の空気の略全量が、第１の吹出口２１Ｄへと流れる。
【０２７５】
暖房運転モードでは、第１の吹出口２１Ｄに流れる空気は、ヒータ５によって加熱されることで、フロントパネル４Ｄの第１の吹出口グリル４１Ｄから温風が吹き出される。第２の吹出口２２Ｄは、攪拌風路開閉ダンパ７Ｄで閉じられているので、暖房運転モードでは、ヒータ５を通らない空気は吹き出されない。
【０２７６】
これにより、暖房運転モードでは、ヒータ５で温度が上げられていない空気が吹き出されて入浴者に当たることが防止され、入浴者が寒さを感じることを抑えることができる。
【０２７７】
浴室換気乾燥暖房機１Ｄは、換気運転モードでは、第１のダンパモータ６１Ｄを駆動して、風路切替ダンパ６Ｄを図１６に一点鎖線で示す換気位置にする。また、第２のダンパモータ７１Ｄを駆動して、攪拌風路開閉ダンパ７Ｄを図１６に実線で示す閉位置にする。
【０２７８】
浴室換気乾燥暖房機１Ｄは、換気運転モードでは、風路切替ダンパ６Ｄを換気位置にすると共に、攪拌風路開閉ダンパ７Ｄで第２の吹出口２２Ｄを閉じると、ヒータ５非駆動として、循環換気ファンモータ２６Ｄを駆動して羽根車２５Ｄを回転させる。
【０２７９】
換気運転モードでは、風路切替ダンパ６Ｄが換気位置にあるので、循環換気吸込口２０Ｄから吸い込まれた浴室の空気の略全量が換気吹出口２３Ｄへと流れ、屋外へ排気される。従って、換気運転モードでは、浴室内の湯気や湿気を排出して結露等を抑制し、カビの発生を抑えることができる。
【０２８０】
（３）風路切替ダンパと攪拌風路開閉ダンパの機能を一体にした例
次に、第２の実施の形態の浴室暖房換気乾燥機の他の変形例について説明する。上述した第２の実施の形態の浴室換気乾燥暖房機では、風路切替ダンパと攪拌風路開閉ダンパを独立させた構成としたが、風路切替ダンパと攪拌風路開閉ダンパを一体に構成しても良い。
【０２８１】
図１７は、第２の実施の形態の浴室換気乾燥暖房機の他の変形例を示す構成図である。第２の実施の形態の他の変形例の浴室換気乾燥暖房機１Ｅは、空気を吸い込んで吹き出す循環換気ファン２Ｅを有した本体部３Ｅが、図４に示す設置形態と同様に、フロントパネル４Ｅを露出させた形態で、浴室の天井に取り付けられる。
【０２８２】
浴室換気乾燥暖房機１Ｅは、浴室内の空気が吸い込まれる循環換気吸込口２０Ｅと、ヒータ５を有して温風が吹き出される第１の吹出口２１Ｅと、浴室内の空気を攪拌する風を発生させる第２の吹出口２２Ｅを備える。また、浴室換気乾燥暖房機１Ｅは、循環換気吸込口２０Ｅから吸い込んだ空気を室外に排気する換気吹出口２３Ｅを備える。
【０２８３】
更に、浴室換気乾燥暖房機１Ｅは、第１の吹出口２１Ｅ及び第２の吹出口２２Ｅと、換気吹出口２３Ｅとの間で風路を切り替えると共に、第２の吹出口２２Ｅを開閉する風路開閉ダンパ６Ｅを備える。
【０２８４】
循環換気ファン２Ｅは、多翼の羽根車２５Ｅと、羽根車２５Ｅを駆動する循環換気ファンモータ２６Ｅと、風路を形成する循環換気ファンケース２７Ｅを備える。
【０２８５】
循環換気吸込口２０Ｅは、羽根車２５Ｅの回転軸に沿った下方に、ベルマウスと称される円形の開口を設けて構成される。第１の吹出口２１Ｅは、循環換気ファンケース２７Ｅによる空気の吹出方向に沿った辺を短辺とした長方形の開口を、吹出風路２８Ｅの下面に設けて構成される。
【０２８６】
第２の吹出口２２Ｅは、循環換気ファンケース２７Ｅによる空気の吹出方向に沿った辺を短辺とした長方形の開口を、吹出風路２８Ｅの下面において、第１の吹出口２１Ｅに対して循環換気吸込口２０Ｅの反対側に設けて構成される。換気吹出口２３Ｅは、本体部３Ｅの側面に設けられ、排気ダクトジョイント３４Ｅが取り付けられる。
【０２８７】
第１の吹出口２１Ｅと第２の吹出口２２Ｅは、第１の吹出口２１Ｅから吹き出される空気の風量が多く、第２の吹出口２２Ｅから吹き出される空気の風速が速くなるように、第１の吹出口２１Ｅに対して第２の吹出口２２Ｅの開口が小さく構成される。
【０２８８】
風路開閉ダンパ６Ｅは、回転による開閉動作の軸６０Ｅが設けられ、第１の吹出口２１Ｅ及び第２の吹出口２２Ｅと、換気吹出口２３Ｅとの間で風路を切り替える風路切替部６１Ｅと、第２の吹出口２２Ｅに空気を送る攪拌風路形成部６２Ｅを備える。
【０２８９】
風路開閉ダンパ６Ｅは、図示しないダンパモータの駆動力が伝達されて、風路切替部６１Ｅと攪拌風路形成部６２Ｅが一体に回転し、風路切替部６１Ｅで、第１の吹出口２１Ｅ及び第２の吹出口２２Ｅと、換気吹出口２３Ｅとの開閉動作を行う。また、攪拌風路形成部６２Ｅで、第２の吹出口２２Ｅに空気が誘導される風路の形成を行う。
【０２９０】
フロントパネル４Ｅは、循環換気ファン２Ｅの循環換気吸込口２０Ｅと対向した下面を開口して吸込口グリル４０Ｅが形成される。また、フロントパネル４Ｅは、循環換気ファン２Ｅの第１の吹出口２１Ｅに対向した下面を開口して第１の吹出口グリル４１Ｅが形成されると共に、第２の吹出口２２Ｅに対向した下面を開口して第２の吹出口グリル４２Ｅが形成される。
【０２９１】
第２の吹出口グリル４２Ｅは、第１の吹出口グリル４１Ｅと並列する短手方向に沿って、第１の吹出口グリル４１Ｅと反対側である本体部３Ｅの外側に向けて空気が吹き出されるように、整流板４３Ｅが設けられる。
【０２９２】
変形例の浴室換気乾燥暖房機１Ｅの動作について説明すると、乾燥運転モードでは、風路開閉ダンパ６Ｅを図１７に実線で示す循環換気位置にする。風路開閉ダンパ６Ｅを循環換気位置にすると、風路切替部６１Ｅで第１の吹出口２１Ｅ及び第２の吹出口２２Ｅと換気吹出口２３Ｅを開くと共に、攪拌風路形成部６２Ｅで第２の吹出口２２Ｅに空気が誘導される風路の形成を行う。
【０２９３】
浴室換気乾燥暖房機１Ｅは、乾燥運転モードでは、風路開閉ダンパ６Ｅを循環換気位置にすると、循環換気ファンモータ２６Ｅを駆動して羽根車２５Ｅを回転させると共に、ヒータ５に通電する。なお、本例でも、乾燥運転モードでの運転当初はヒータ５を非駆動として室温に応じた送風を吹き出し、所定の時間経過後、ヒータ５を駆動して温風を吹き出すようにしても良い。
【０２９４】
乾燥運転モードでは、風路開閉ダンパ６Ｅが循環換気位置にあるので、羽根車２５Ｅが回転することで、フロントパネル４Ｅの吸込口グリル４０Ｅを通り循環換気吸込口２０Ｅから吸い込まれた浴室の空気の一部は、第１の吹出口２１Ｅ及び第２の吹出口２２Ｅへと流れる。また、循環換気吸込口２０Ｅから吸い込まれた浴室の空気の残部は、換気吹出口２３Ｅへと流れて屋外へ排気される。
【０２９５】
乾燥運転モードでは、第１の吹出口２１Ｅに流れる空気は、ヒータ５によって加熱されることで、フロントパネル４Ｅの第１の吹出口グリル４１Ｅから温風が吹き出される。
【０２９６】
また、乾燥運転モードでは、風路開閉ダンパ６Ｅで第２の吹出口２２Ｅを開き、攪拌風路形成部６２Ｅで風路を形成しているので、第２の吹出口２２Ｅにも空気が流れる。第２の吹出口２２Ｅに流れる空気は、ヒータ５を通らないので、フロントパネル４Ｅの第２の吹出口グリル４２Ｅから、室温に応じた空気が吹き出される。
【０２９７】
第２の吹出口グリル４２Ｅから吹き出される空気は、第１の吹出口２１Ｅ及び第２の吹出口２２Ｅの配置及び大きさの関係から、第１の吹出口グリル４１Ｅから吹き出される空気より風速が速い。また、第２の吹出口グリル４２Ｅから吹き出される空気は、ヒータ５を通らないので、第１の吹出口グリル４１Ｅから吹き出される空気より温度が低い。
【０２９８】
これにより、浴室換気乾燥暖房機１Ｅでも、第２の吹出口グリル４２Ｅから吹き出される風速の速い空気によって、浴室の一方の壁面に沿って下方に向かい、浴室の下層付近を他方の壁面に向かい、他方の壁面に沿って上方に向かう空気の流れを発生させることができる。
【０２９９】
乾燥運転モードでは、浴室換気乾燥暖房機１Ｅの第１の吹出口グリル４１Ｅから吹き出される空気は、ヒータ５で加熱されて温度が上げられ、相対湿度が下げられているので、第２の吹出口グリル４２Ｅから吹き出される空気に比べ軽い。
【０３００】
このため、第１の吹出口グリル４１Ｅから吹き出される空気に比べ重い第２の吹出口グリル４２Ｅから吹き出される空気は、浴室の下層まで流れ、浴室内の全体に、空気を攪拌する風の流れを生じさせることができる。
【０３０１】
これにより、第１の吹出口グリル４１Ｅから吹き出される温風が、直接は当たりにくい位置の被乾燥物付近にも、空気の流れを生じさせることができる。従って、変形例の浴室換気乾燥暖房機１Ｅでも、被乾燥物の水分が蒸発しやすくなり、被乾燥物の乾燥に要するエネルギーを低減させることができる。
【０３０２】
また、浴室内の空気の一部は屋外に排気されて換気が行われるので、湿気等を排出して、被乾燥物の乾燥を促進することができる。
【０３０３】
浴室換気乾燥暖房機１Ｅは、循環換気運転モードでは、風路開閉ダンパ６Ｅを図１７に実線で示す循環換気位置にし、ヒータ５を非駆動として、循環換気ファンモータ２６Ｅを駆動して羽根車２５Ｅを回転させる。
【０３０４】
循環換気運転モードでは、風路開閉ダンパ６Ｅが循環換気位置にあるので、循環換気吸込口２０Ｅから吸い込まれた浴室の空気の一部は、第１の吹出口２１Ｅ及び第２の吹出口２２Ｅへと流れる。また、循環換気吸込口２０Ｅから吸い込まれた浴室の空気の残部は、換気吹出口２３Ｅへと流れて屋外へ排気される。
【０３０５】
循環換気運転モードでは、第１の吹出口２１Ｅに流れる空気は、ヒータ５が非駆動であるので、フロントパネル４Ｅの第１の吹出口グリル４１Ｅから、室温に応じた空気が吹き出される。
【０３０６】
また、循環換気運転モードでも、風路開閉ダンパ６Ｅが第２の吹出口２２Ｅを開いているので、第２の吹出口２２Ｅにも空気が流れる。第２の吹出口２２Ｅに流れる空気は、ヒータ５を通らないので、フロントパネル４Ｅの第２の吹出口グリル４２Ｅから、室温に応じた空気が吹き出される。
【０３０７】
浴室換気乾燥暖房機１Ｅでは、循環換気運転モードでも、第２の吹出口グリル４２Ｅから吹き出される風速の速い空気によって、浴室の一方の壁面に沿って下方に向かい、浴室の下層付近を他方の壁面に向かい、他方の壁面に沿って上方に向かう空気の流れを発生させることができる。
【０３０８】
これにより、循環換気運転モードでも、浴室内の全体に、空気を攪拌する風の流れを生じさせることができ、浴室内で、第１の吹出口グリル４１Ｅから吹き出される空気が直接は当たりにくいような場所でも、空気の流れを生じさせることができる。
【０３０９】
従って、浴室の各壁面、床面等の乾燥時間を短縮することができる。また、浴室内の空気の一部は屋外に排気されて換気が行われるので、湿気等を排出して、浴室の各壁面、床面等の乾燥を促進することができる。
【０３１０】
浴室換気乾燥暖房機１Ｅは、暖房運転モードでは、風路開閉ダンパ６Ｅを図１７に破線で示す循環位置にする。風路開閉ダンパ６Ｅを循環位置にすると、風路切替部６１Ｅで換気吹出口２３Ｅを閉じる。また、第２の吹出口２２Ｅも風路切替部６１Ｅで閉じる。
【０３１１】
浴室換気乾燥暖房機１Ｅは、暖房運転モードでは、風路開閉ダンパ６Ｅを循環位置にすると、ヒータ５に通電すると共に、循環換気ファンモータ２６Ｅを駆動して羽根車２５Ｅを回転させる。
【０３１２】
暖房運転モードでは、風路開閉ダンパ６Ｅが循環位置にあり、換気吹出口２３Ｅと第２の吹出口２２Ｅが閉じられているので、循環換気吸込口２０Ｅから吸い込まれた浴室の空気の略全量が、第１の吹出口２１Ｅへと流れる。
【０３１３】
暖房運転モードでは、第１の吹出口２１Ｅに流れる空気は、ヒータ５によって加熱されることで、フロントパネル４Ｅの第１の吹出口グリル４１Ｅから温風が吹き出される。第２の吹出口２２Ｅは、風路開閉ダンパ７Ｅで閉じられているので、暖房運転モードでは、ヒータ５を通らない空気は吹き出されない。
【０３１４】
これにより、暖房運転モードでは、ヒータ５で温度が上げられていない空気が吹き出されて入浴者に当たることが防止され、入浴者が寒さを感じることを抑えることができる。
【０３１５】
浴室換気乾燥暖房機１Ｅは、換気運転モードでは、風路開閉ダンパ６Ｅを図１７に一点鎖線で示す換気位置にする。風路開閉ダンパ６Ｅを換気位置にすると、風路切替部６１Ｅで換気吹出口２３Ｅを開き、第１の吹出口２１Ｅ及び第２の吹出口２２Ｅを閉じる。
【０３１６】
浴室換気乾燥暖房機１Ｅは、換気運転モードでは、風路開閉ダンパ６Ｅを換気位置にすると、ヒータ５非駆動として、循環換気ファンモータ２６Ｅを駆動して羽根車２５Ｅを回転させる。
【０３１７】
換気運転モードでは、風路開閉ダンパ６Ｅが換気位置にあるので、循環換気吸込口２０Ｅから吸い込まれた浴室の空気の略全量が換気吹出口２３Ｅへと流れ、屋外へ排気される。従って、換気運転モードでは、浴室内の湯気や湿気を排出して結露等を抑制し、カビの発生を抑えることができる。
【０３１８】
（４）攪拌風路開閉ダンパで風向を切り替える例
次に、第２の実施の形態の浴室暖房換気乾燥機の別の変形例について説明する。上述した第２の実施の形態の浴室換気乾燥暖房機では、攪拌風路開閉ダンパで第２の吹出口を開閉する構成としたが、攪拌風路開閉ダンパで風向も切り替えられる構成しても良い。
【０３１９】
図１８は、第２の実施の形態の浴室換気乾燥暖房機の別の変形例を示す構成図である。第２の実施の形態の別の変形例の浴室換気乾燥暖房機１Ｆは、空気を吸い込んで吹き出す循環換気ファン２Ｆを有した本体部３Ｆが、図４に示す設置形態と同様に、フロントパネル４Ｆを露出させた形態で、浴室の天井に取り付けられる。
【０３２０】
浴室換気乾燥暖房機１Ｆは、浴室内の空気が吸い込まれる循環換気吸込口２０Ｆと、ヒータ５を有して温風が吹き出される第１の吹出口２１Ｆと、浴室内の空気を攪拌する風を発生させる第２の吹出口２２Ｆを備える。また、浴室換気乾燥暖房機１Ｆは、循環換気吸込口２０Ｆから吸い込んだ空気を室外に排気する換気吹出口２３Ｆを備える。
【０３２１】
更に、浴室換気乾燥暖房機１Ｆは、第１の吹出口２１Ｆ及び第２の吹出口２２Ｆと、換気吹出口２３Ｆとの間で風路を切り替える風路切替ダンパ６Ｆを備える。また、浴室換気乾燥暖房機１Ｆは、第２の吹出口２２Ｆを開閉すると共に、風向を切り替える攪拌風路開閉ダンパ７Ｆを備える。
【０３２２】
循環換気ファン２Ｆは、多翼の羽根車２５Ｆと、羽根車２５Ｆを駆動する循環換気ファンモータ２６Ｆと、風路を形成する循環換気ファンケース２７Ｆを備える。
【０３２３】
循環換気吸込口２０Ｆは、羽根車２５Ｆの回転軸に沿った下方に、ベルマウスと称される円形の開口を設けて構成される。第１の吹出口２１Ｆは、循環換気ファンケース２７Ｆによる空気の吹出方向に沿った辺を短辺とした長方形の開口を、吹出風路２８Ｆの下面に設けて構成される。
【０３２４】
第２の吹出口２２Ｆは、循環換気ファンケース２７Ｆによる空気の吹出方向に沿った辺を短辺とした長方形の開口を、吹出風路２８Ｆの下面において、第１の吹出口２１Ｆに対して循環換気吸込口２０Ｆの反対側に設けて構成される。換気吹出口２３Ｆは、本体部３Ｆの側面に設けられ、排気ダクトジョイント３４Ｆが取り付けられる。
【０３２５】
第１の吹出口２１Ｆと第２の吹出口２２Ｆは、第１の吹出口２１Ｆから吹き出される空気の風量が多く、第２の吹出口２２Ｆから吹き出される空気の風速が速くなるように、第１の吹出口２１Ｆに対して第２の吹出口２２Ｆの開口が小さく構成される。
【０３２６】
風路切替ダンパ６Ｆは風路開閉手段の一例で、回転による開閉動作の軸６０Ｆが設けられ、図示しないダンパモータの駆動力が伝達されて、第１の吹出口２１Ｆ及び第２の吹出口２２Ｆと、換気吹出口２３Ｆとの開閉動作を行う。
【０３２７】
攪拌風路開閉ダンパ７Ｆは開閉手段の一例で、回転による開閉動作の軸７０Ｆが設けられ、図示しないダンパモータの駆動力が伝達されて、第２の吹出口２２Ｆの開閉動作と、風向切替動作を行う。
【０３２８】
フロントパネル４Ｆは、循環換気ファン２Ｆの循環換気吸込口２０Ｆと対向した下面を開口して吸込口グリル４０Ｆが形成される。また、フロントパネル４Ｆは、循環換気ファン２Ｆの第１の吹出口２１Ｆに対向した下面を開口して第１の吹出口グリル４１Ｆが形成されると共に、第２の吹出口２２Ｆに対向した下面を開口して第２の吹出口グリル４２Ｆが形成される。
【０３２９】
変形例の浴室換気乾燥暖房機１Ｆの動作について説明すると、乾燥運転モードでは、風路切替ダンパ６Ｆを図１８に実線で示す循環換気位置にする。また、攪拌風路開閉ダンパ７Ｆを図１８に実線で示す開位置にする。ここで、開位置にある攪拌風路開閉ダンパ７Ｆは、例えば、矢印Ｆで示す範囲で開度が調整可能であり、浴室の広さ、ランドリパイプの位置、本数等の条件に応じて、風向が切り替えられる。
【０３３０】
浴室換気乾燥暖房機１Ｆは、乾燥運転モードでは、風路切替ダンパ６Ｆを循環換気位置にすると共に、攪拌風路開閉ダンパ７Ｆで第２の吹出口２２Ｆを開くと、循環換気ファンモータ２６Ｆを駆動して羽根車２５Ｆを回転させると共に、ヒータ５に通電する。なお、本例でも、乾燥運転モードでの運転当初はヒータ５を非駆動として室温に応じた送風を吹き出し、所定の時間経過後、ヒータ５を駆動して温風を吹き出すようにしても良い。
【０３３１】
乾燥運転モードでは、風路切替ダンパ６Ｆが循環換気位置にあるので、羽根車２５Ｆが回転することで、フロントパネル４Ｆの吸込口グリル４０Ｆを通り循環換気吸込口２０Ｆから吸い込まれた浴室の空気の一部は、第１の吹出口２１Ｆ及び第２の吹出口２２Ｆへと流れる。また、循環換気吸込口２０Ｆから吸い込まれた浴室の空気の残部は、換気吹出口２３Ｆへと流れて屋外へ排気される。
【０３３２】
乾燥運転モードでは、第１の吹出口２１Ｆに流れる空気は、ヒータ５によって加熱されることで、フロントパネル４Ｆの第１の吹出口グリル４１Ｆから温風が吹き出される。
【０３３３】
また、乾燥運転モードでは、攪拌風路開閉ダンパ７Ｆが第２の吹出口２２Ｆを開いているので、第２の吹出口２２Ｆにも空気が流れる。第２の吹出口２２Ｆに流れる空気は、ヒータ５を通らないので、フロントパネル４Ｆの第２の吹出口グリル４２Ｆから、室温に応じた空気が、攪拌風路開閉ダンパ７Ｆの開度に応じた方向に吹き出される。
【０３３４】
第２の吹出口グリル４２Ｆから吹き出される空気は、第１の吹出口２１Ｆ及び第２の吹出口２２Ｆの配置及び大きさの関係から、第１の吹出口グリル４１Ｆから吹き出される空気より風速が速い。また、第２の吹出口グリル４２Ｆから吹き出される空気は、ヒータ５を通らないので、第１の吹出口グリル４１Ｆから吹き出される空気より温度が低い。
【０３３５】
これにより、浴室換気乾燥暖房機１Ｆでも、第２の吹出口グリル４２Ｆから吹き出される風速の速い空気によって、浴室の一方の壁面に沿って下方に向かい、浴室の下層付近を他方の壁面に向かい、他方の壁面に沿って上方に向かう空気の流れを発生させることができる。
【０３３６】
乾燥運転モードでは、浴室換気乾燥暖房機１Ｆの第１の吹出口グリル４１Ｆから吹き出される空気は、ヒータ５で加熱されて温度が上げられ、相対湿度が下げられているので、第２の吹出口グリル４２Ｆから吹き出される空気に比べ軽い。
【０３３７】
このため、第１の吹出口グリル４１Ｆから吹き出される空気に比べ重い第２の吹出口グリル４２Ｆから吹き出される空気は、浴室の下層まで流れ、浴室内の全体に、空気を攪拌する風の流れを生じさせることができる。また、第２の吹出口グリル４２Ｆから吹き出される空気の風向を切り替えることで、浴室の広さ等に応じて、浴室内の全体に、空気を攪拌する風の流れを生じさせることができる。
【０３３８】
これにより、第１の吹出口グリル４１Ｆから吹き出される温風が、直接は当たりにくい位置の被乾燥物付近にも、空気の流れを生じさせることができる。従って、変形例の浴室換気乾燥暖房機１Ｆでも、被乾燥物の水分が蒸発しやすくなり、被乾燥物の乾燥に要するエネルギーを低減させることができる。
【０３３９】
また、浴室内の空気の一部は屋外に排気されて換気が行われるので、湿気等を排出して、被乾燥物の乾燥を促進することができる。
【０３４０】
浴室換気乾燥暖房機１Ｆは、循環換気運転モードでは、風路切替ダンパ６Ｆを図１８に実線で示す循環換気位置にする。また、攪拌風路開閉ダンパ７Ｆを図１８に実線で示す開位置にする。循環換気運転モードでも、攪拌風路開閉ダンパ７Ｆの開度によって風向が切り替えられる。
【０３４１】
浴室換気乾燥暖房機１Ｆは、循環換気運転モードでは、風路切替ダンパ６Ｆを循環換気位置にすると共に、攪拌風路開閉ダンパ７Ｆで第２の吹出口２２Ｆを開くと、ヒータ５を非駆動として、循環換気ファンモータ２６Ｆを駆動して羽根車２５Ｆを回転させる。
【０３４２】
循環換気運転モードでは、風路切替ダンパ６Ｆが循環換気位置にあるので、循環換気吸込口２０Ｆから吸い込まれた浴室の空気の一部は、第１の吹出口２１Ｆ及び第２の吹出口２２Ｆへと流れる。また、循環換気吸込口２０Ｆから吸い込まれた浴室の空気の残部は、換気吹出口２３Ｆへと流れて屋外へ排気される。
【０３４３】
循環換気運転モードでは、第１の吹出口２１Ｆに流れる空気は、ヒータ５が非駆動であるので、フロントパネル４Ｆの第１の吹出口グリル４１Ｆから、室温に応じた空気が吹き出される。
【０３４４】
また、循環換気運転モードでも、攪拌風路開閉ダンパ７Ｆが第２の吹出口２２Ｆを開いているので、第２の吹出口２２Ｆにも空気が流れる。第２の吹出口２２Ｆに流れる空気は、ヒータ５を通らないので、フロントパネル４Ｆの第２の吹出口グリル４２Ｆから、室温に応じた空気が吹き出される。
【０３４５】
浴室換気乾燥暖房機１Ｆでは、循環換気運転モードでも、第２の吹出口グリル４２Ｆから吹き出される風速の速い空気によって、浴室の一方の壁面に沿って下方に向かい、浴室の下層付近を他方の壁面に向かい、他方の壁面に沿って上方に向かう空気の流れを発生させることができる。
【０３４６】
これにより、循環換気運転モードでも、浴室内の全体に、空気を攪拌する風の流れを生じさせることができ、浴室内で、第１の吹出口グリル４１Ｆから吹き出される空気が直接は当たりにくいような場所でも、空気の流れを生じさせることができる。
【０３４７】
従って、浴室の各壁面、床面等の乾燥時間を短縮することができる。また、浴室内の空気の一部は屋外に排気されて換気が行われるので、湿気等を排出して、浴室の各壁面、床面等の乾燥を促進することができる。
【０３４８】
浴室換気乾燥暖房機１Ｆは、暖房運転モードでは、風路切替ダンパ６Ｆを図１８に破線で示す循環位置にする。また、攪拌風路開閉ダンパ７Ｆを図１８に破線で示す閉位置にする。
【０３４９】
浴室換気乾燥暖房機１Ｆは、暖房運転モードでは、風路切替ダンパ６Ｆを循環位置にすると共に、攪拌風路開閉ダンパ７Ｆで第２の吹出口２２Ｆを閉じると、ヒータ５に通電すると共に、循環換気ファンモータ２６Ｆを駆動して羽根車２５Ｆを回転させる。
【０３５０】
暖房運転モードでは、風路切替ダンパ６Ｆが循環位置にあり、第２の吹出口２２Ｆが攪拌風路開閉ダンパ７Ｆで閉じられているので、循環換気吸込口２０Ｆから吸い込まれた浴室の空気の略全量が、第１の吹出口２１Ｆへと流れる。
【０３５１】
暖房運転モードでは、第１の吹出口２１Ｆに流れる空気は、ヒータ５によって加熱されることで、フロントパネル４Ｆの第１の吹出口グリル４１Ｆから温風が吹き出される。第２の吹出口２２Ｆは、攪拌風路開閉ダンパ７Ｆで閉じられているので、暖房運転モードでは、ヒータ５を通らない空気は吹き出されない。
【０３５２】
これにより、暖房運転モードでは、ヒータ５で温度が上げられていない空気が吹き出されて入浴者に当たることが防止され、入浴者が寒さを感じることを抑えることができる。
【０３５３】
浴室換気乾燥暖房機１Ｆは、換気運転モードでは、風路切替ダンパ６Ｆを図１８に一点鎖線で示す換気位置にする。また、攪拌風路開閉ダンパ７Ｆを図１８に破線で示す閉位置にする。
【０３５４】
浴室換気乾燥暖房機１Ｆは、換気運転モードでは、風路切替ダンパ６Ｆを換気位置にすると共に、攪拌風路開閉ダンパ７Ｆで第２の吹出口２２Ｆを閉じると、ヒータ５非駆動として、循環換気ファンモータ２６Ｆを駆動して羽根車２５Ｆを回転させる。
【０３５５】
換気運転モードでは、風路切替ダンパ６Ｆが換気位置にあるので、循環換気吸込口２０Ｆから吸い込まれた浴室の空気の略全量が換気吹出口２３Ｆへと流れ、屋外へ排気される。従って、換気運転モードでは、浴室内の湯気や湿気を排出して結露等を抑制し、カビの発生を抑えることができる。
【０３５６】
（５）空気の吸込方向の変形例
図１９は、各実施の形態の浴室換気乾燥暖房機の変形例を示す斜視図である。以下の例では、第２の実施の形態の浴室換気乾燥暖房機１Ｂに適用した例として説明するが、他の実施の形態の浴室換気乾燥暖房機に適用しても良い。
【０３５７】
変形例の浴室換気乾燥暖房機１Ｇは、循環換気ファン２Ｂで循環換気吸込口２０Ｂから吸い込まれる空気を、フロントパネル４Ｇの側方から吸い込むようにした構成である。ここで、本体部３Ｂの構成は、第２の実施の形態と同様であるので、説明を省略する。
【０３５８】
フロントパネル４Ｇは、循環換気ファン２Ｂの第２の吹出口２２Ｂの長手方向の辺に沿った辺を除く３辺の何れか、あるいは３辺の全ての側面に、開口を設けて吸込口グリル４０Ｇが形成される。
【０３５９】
フロントパネル４Ｇは、第２の実施の形態と同様に、循環換気ファン２Ｂの第１の吹出口２１Ｂに対向した下面を開口して第１の吹出口グリル４１Ｇが形成されると共に、第２の吹出口２２Ｂに対向した下面を開口して第２の吹出口グリル４２Ｇが形成される。
【０３６０】
変形例の浴室換気乾燥暖房機１Ｇでも、吸込口グリル４０Ｇから吸い込まれる空気と、第２の吹出口グリル４２Ｇから吹き出される風速の速い空気によって、浴室の一方の壁面に沿って下方に向かい、浴室の下層付近を他方の壁面に向かい、他方の壁面に沿って上方に向かう空気の流れを発生させることができる。
【０３６１】
これにより、浴室内の全体に、空気を攪拌する風の流れを生じさせることができ、乾燥運転モードでは、第１の吹出口グリル４１Ｇから吹き出される温風が、直接は当たりにくい位置にある被乾燥物付近にも、空気の流れを生じさせることができる。従って、被乾燥物の水分が蒸発しやすくなり、被乾燥物の乾燥に要するエネルギーを低減させることができる。
【０３６２】
変形例の浴室換気乾燥暖房機１Ｇでは、フロントパネル４Ｇの側面に吸込口グリル４０Ｇを備えることで、浴室内に面したフロントパネル４Ｇの下面に、空気が吸い込まれる開口が設けられておらず、フロントパネルの下面に設けた構成では比較的大きな面積を占める吸込口グリルが、フロントパネルの下面に露出しないので、外観性を向上させることができる。
【０３６３】
（６）空気の吸込方向と吹出方向の変形例
図２０は、各実施の形態の浴室換気乾燥暖房機の他の変形例を示す斜視図である。
【０３６４】
変形例の浴室換気乾燥暖房機１Ｈは、循環換気ファン２Ｂで循環換気吸込口２０Ｂから吸い込まれる空気を、フロントパネル４Ｈの側方から吸い込むと共に、第２の吹出口２２Ｂから吹き出される空気を、フロントパネル４Ｈの側方から吹き出すようにした構成である。
【０３６５】
フロントパネル４Ｈは、循環換気ファン２Ｂの第２の吹出口２２Ｂの長手方向の辺に沿った辺を除く３辺の何れか、あるいは３辺の全ての側面に、開口を設けて吸込口グリル４０Ｈが形成される。
【０３６６】
フロントパネル４Ｈは、第２の実施の形態と同様に、循環換気ファン２Ｂの第１の吹出口２１Ｂに対向した下面を開口して第１の吹出口グリル４１Ｈが形成される。また、フロントパネル４Ｈは、第２の吹出口２２Ｂの長手方向の辺に沿った辺の側面に、開口を設けて第２の吹出口グリル４２Ｈが形成される。
【０３６７】
第２の吹出口グリル４２Ｈは、循環換気ファン２Ｂの第１の吹出口２１Ｂと仕切り部材２４Ｈで仕切られて第２の吹出口２２Ｂと連通し、フロントパネル４Ｈの側面から、側方に向けて空気が吹き出される。
【０３６８】
他の変形例の浴室換気乾燥暖房機１Ｈでも、吸込口グリル４０Ｈから吸い込まれる空気と、第２の吹出口グリル４２Ｈから吹き出される風速の速い空気によって、浴室の一方の壁面に沿って下方に向かい、浴室の下層付近を他方の壁面に向かい、他方の壁面に沿って上方に向かう空気の流れを発生させることができる。
【０３６９】
変形例の浴室換気乾燥暖房機１Ｈでは、フロントパネル４Ｈの側面の第２の吹出口グリル４２Ｈから、側方に向けて空気が吹き出されるので、浴室の一方の壁面に向けてより多くの風量の空気を吹き出すことができる。
【０３７０】
これにより、浴室内の全体に、空気を攪拌する風の流れを生じさせることができ、乾燥運転モードでは、第１の吹出口グリル４１Ｈから吹き出される温風が、直接は当たりにくい位置にある被乾燥物付近にも、空気の流れを生じさせることができる。従って、被乾燥物の水分が蒸発しやすくなり、被乾燥物の乾燥に要するエネルギーを低減させることができる。
【０３７１】
変形例の浴室換気乾燥暖房機１Ｈでは、フロントパネル４Ｈの側面に吸込口グリル４０Ｈと第２の吹出口グリル４２Ｈを備えることで、浴室内に面したフロントパネル４Ｈの下面に露出する開口を、第１の吹出口グリル４１Ｈのみにすることができ、外観性をより向上させることができる。
【産業上の利用可能性】
【０３７２】
本発明は、浴室等の被乾燥物の乾燥を行う空間に設置される送風装置に適用される。
【符号の説明】
【０３７３】
１Ａ・・・浴室換気乾燥暖房機、２Ａ・・・循環換気ファン、２０Ａ・・・循環換気吸込口、２１Ａ・・・第１の吹出口、２２Ａ・・・第２の吹出口、２３Ａ・・・換気吹出口、２４・・・風路切替ダンパ、２５Ａ・・・羽根車、２６Ａ・・・循環換気ファンモータ、２７Ａ・・・循環換気ファンケース、２８Ａ・・・吹出風路、３Ａ・・・本体部、３０Ａ・・・本体シャーシ、３１Ａ・・・金属ケース、３２Ａ・・・フランジ部、３３Ａ・・・下カバー、３４Ａ・・・排気ダクトジョイント、４Ａ・・・フロントパネル、４０Ａ・・・吸込口グリル、４１Ａ・・・第１の吹出口グリル、４２Ａ・・・第２の吹出口グリル、４３Ａ・・・整流板、５・・・ヒータ、５０Ａ・・・風路形成枠体、５１Ａ・・・仕切り部材、１００・・・浴室、１０１・・・天井パネル、１０２・・・排気ダクト、１０２ａ・・・屋外グリル、１０３・・・浴槽、１０４・・・洗い場、１０５・・・ランドリパイプ、１０６ａ，１０６ｂ・・・壁面
【図１】
2013094199.tif 000003
【図２】
2013094199.tif 000004
【図３】
2013094199.tif 000005
【図４】
2013094199.tif 000006
【図５】
2013094199.tif 000007
【図６】
2013094199.tif 000008
【図７】
2013094199.tif 000009
【図８】
2013094199.tif 000010
【図９】
2013094199.tif 000011
【図１０】
2013094199.tif 000012
【図１１】
2013094199.tif 000013
【図１２】
2013094199.tif 000014
【図１３】
2013094199.tif 000015
【図１４】
2013094199.tif 000016
【図１５】
2013094199.tif 000017
【図１６】
2013094199.tif 000018
【図１７】
2013094199.tif 000019
【図１８】
2013094199.tif 000020
【図１９】
2013094199.tif 000021
【図２０】
2013094199.tif 000022